(57)【要約】  約１０．０重量％から約４０重量％未満の一つまたは複数のＣ1−Ｃ8アルコールと、約０．５重量％から約１０．０重量％の少なくとも一つの一次界面活性剤と、０重量％から約１０．０重量％の少なくとも一つの二次界面活性剤と、ｐＨ調節剤と、水とを含み、一次界面活性剤および二次界面活性剤は８を超えるＨＬＢ値を有する、非抗菌清浄化組成物が開示される。組成物は２．０ｌｏｇを超える微生物殺傷レベルを達成しない。【選択図】なし【特許請求の範囲】
【請求項１】
非抗菌清浄化組成物であって、
約１０．０重量％から約３０重量％未満までの一つまたは複数のＣ1−Ｃ8アルコールと、
約０．５重量％から約１０．０重量％の少なくとも一つの一次界面活性剤と、
０重量％から約１０．０重量％の少なくとも一つの二次界面活性剤であって、前記濃度が前記清浄化組成物の総重量に基づき、前記一次界面活性剤および二次界面活性剤が８を超えるＨＬＢ値を有する、二次界面活性剤と、
ｐＨ調整剤と、
水と、を含み、前記組成物が２．０ｌｏｇを超える微生物殺傷レベルを達成しない、非抗菌清浄化組成物。
【請求項２】
１．５ｌｏｇを超える微生物殺傷レベルを達成しない、請求項１に記載の非抗菌清浄化組成物。
【請求項３】
一つまたは複数の抗菌剤をさらに含む、請求項１に記載の非抗菌清浄化組成物。
【請求項４】
前記一つまたは複数のＣ1−Ｃ8アルコールは、メタノール、エタノール、イソプロパノール、ブタノール、ペンタノール、ヘキサノール、ならびにそれらの異性体および混合物からなる群から選択される、請求項１に記載の非抗菌清浄化組成物。
【請求項５】
前記一つまたは複数のＣ1−Ｃ8アルコールが、エタノールおよびイソプロパノールのうちの少なくとも一つを含む、請求項１に記載の非抗菌清浄化組成物。
【請求項６】
約２５重量％未満の一つまたは複数のＣ1−Ｃ8アルコールを含む、請求項１に記載の非抗菌清浄化組成物。
【請求項７】
単相溶液である、請求項１に記載の非抗菌清浄化組成物。
【請求項８】
前記一次界面活性剤が、アルキル硫酸ナトリウム、ドデシル硫酸ナトリウム、ドデシルベンゼンスルホン酸ナトリウム、ラウリン酸ナトリウム、ラウレス硫酸ナトリウム、ラウリルサルコシン酸ナトリウム、ラウリル硫酸カリウム、ラウリル硫酸アンモニウム、ラウレス硫酸アンモニウム、キシレンスルホン酸アンモニウム、ラウレス硫酸マグネシウム、およびミレス硫酸ナトリウム、ノナノイルオキシベンゼンスルホン酸ナトリウム、カルボキシレート、硫酸エステル、硫酸アルカノールアミド、アルキルフェノール、およびそれらの混合物からなる群から選択されるアニオン性界面活性剤である、請求項１に記載の非抗菌清浄化組成物。
【請求項９】
前記一次界面活性剤が、ラウレス硫酸ナトリウムを含む、請求項８に記載の非抗菌清浄化組成物。
【請求項１０】
前記二次界面活性剤が、少なくとも一つの双性イオン界面活性剤を含む、請求項１に記載の非抗菌清浄化組成物。
【請求項１１】
前記双性イオン性界面活性剤が、コカミドプロピルベタイン、コカミドプロピルヒドロキシルスルタイン、ラウラミドプロピルヒドロキシルスルタイン、ラウラミンオキシド、ミリスタミンオキシド、ラウロアンホジ酢酸二ナトリウム、ココアンホジ酢酸二ナトリウム、ラウロアンホ酢酸ナトリウム、ココアンホ酢酸ナトリウム、ココアンホジプロピオン酸二ナトリウム、ラウロアンホジプロピオン酸二ナトリウム、およびそれらの混合物のうちの一つまたは複数を含む、請求項１０に記載の非抗菌清浄化組成物。
【請求項１２】
表面から少なくとも９８％の病原体を除去する、請求項１に記載の非抗菌清浄化組成物。
【請求項１３】
前記組成物の総重量に基づいて約０．０１重量％から約５．０重量％までの一つまたは複数の湿潤剤をさらに含み、前記湿潤剤が、プロピレングリコール、ヘキシレングリコール、１，４−ジヒドロキシヘキサン、１，２，６−ヘキサントリオール、ソルビトール、ブチレングリコール、カプリリルグリコール、メチルプロパンジオール、ジプロピレングリコール、トリエチレングリコール、グリセリン（グリセロール）、ポリエチレングリコール、エトキシジグリコール、ポリエチレンソルビトール、およびこれらの組み合わせからなる群から選択される、請求項１に記載の非抗菌清浄化組成物。
【請求項１４】
実質的にジメチコンを含まない、請求項１に記載の非抗菌清浄化組成物。
【請求項１５】
前記清浄化組成物の総重量に基づいて、約３重量％未満の油を含む、請求項１に記載の非抗菌清浄化組成物。
【請求項１６】
発泡性組成物である、請求項１に記載の非抗菌清浄化組成物。
【請求項１７】
前記局所組成物が、Ｃ．ディフィシルの胞子で汚染された表面に適用された際に、少なくとも９４．５％のＣ．ディフィシルの胞子の除去を達成する、請求項１に記載の非抗菌清浄化組成物。
【請求項１８】
非抗菌清浄化組成物を表面に適用することを含み、前記清浄化組成物が、
約１０．０重量％から約３０重量％未満までの一つまたは複数のＣ1−Ｃ8アルコールと、
約０．５重量％から約１０．０重量％の少なくとも一つの一次界面活性剤と、
０重量％から約１０．０重量％の少なくとも一つの二次界面活性剤であって、前記一次界面活性剤および二次界面活性剤が８を超えるＨＬＢ値を有する、二次界面活性剤と、
ｐＨ調整剤と、
水と、を含み、前記量が前記非抗菌組成物の総重量に基づき、前記組成物が２．０ｌｏｇを超える微生物殺傷レベルを達成しない、表面を清浄化する方法。
【請求項１９】
前記表面を水ですすぐことをさらに含む、請求項１８に記載の方法。
【請求項２０】
約１０．０重量％から約２５重量％未満までの一つまたは複数のＣ1−Ｃ8アルコールと、
約３．０重量％から約１０．０重量％の少なくとも一つの脂肪酸と、
約０．５重量％から約５．０重量％の少なくとも一つの湿潤剤と、
約３．０重量％未満の油と、
塩基性ｐＨ調整剤と、
水と、を含み、前記量は非抗菌組成物の総重量に基づく、非抗菌清浄化組成物。
【請求項２１】
非抗菌発泡性組成物であって、
約１０．０重量％から約３０重量％未満までの一つまたは複数のＣ1−Ｃ8アルコールと、
約０．５重量％から約１０．０重量％の少なくとも一つの一次界面活性剤と、０重量％から約１０．０重量％の少なくとも一つの二次界面活性剤とを含み、前記一次界面活性剤および二次界面活性剤が８を超えるＨＬＢ値を有する、界面活性剤系と、
水と、を含み、前記量は、非抗菌組成物の総重量に基づき、前記清浄化組成物は、３．０ｌｏｇを超える微生物殺傷レベルを達成せず、前記清浄化組成物は、皮膚表面に適用された際に、１０重量％未満のアルコールを含む他の同一の組成物の界面張力よりも少なくとも２倍低い界面張力を達成する、非抗菌発泡性組成物。
【請求項２２】
非抗菌清浄化溶液であって、
約１０．０重量％から約３０重量％未満までの一つまたは複数のＣ1−Ｃ8アルコールと、
約２．５重量％から約１０．０重量％の少なくとも一つの一次界面活性剤と、約２重量％から約１０．０重量％の少なくとも一つの二次界面活性剤とを含む界面活性剤系と、
ｐＨ調整剤と、
水と、を含み、前記量が前記非抗菌組成物の総重量に基づき、前記組成物は、単相組成物であり、前記組成物は、２．５ｌｏｇ超える微生物殺傷レベルを達成しない、非抗菌清浄化溶液。
【請求項２３】
非抗菌清浄化組成物であって、
約１０．０重量％から約３０重量％未満までの一つまたは複数のＣ1−Ｃ8アルコールと、
約０．５重量％から約１０．０重量％の少なくとも一つの一次界面活性剤と、
０重量％から約１０．０重量％の少なくとも一つの二次界面活性剤であって、前記一次界面活性剤および二次界面活性剤が８を超えるＨＬＢ値を有する、二次界面活性剤と、
水と、を含み、前記量は非抗菌組成物の総重量に基づき、前記組成物が２．０ｌｏｇよりも大きな微生物殺傷レベルを達成せず、前記組成物は、Ｃ．ディフィシルの胞子で汚染された表面に適用された際に、少なくとも９４．０％のＣ．ディフィシルの胞子の減少を達成する、非抗菌清浄化組成物。
【発明の詳細な説明】
【技術分野】
【０００１】
関連出願
本発明は、２０１７年５月１日出願の「ＡＬＣＯＨＯＬ  ＣＯＮＴＡＩＮＩＮＧ  ＴＯＰＩＣＡＬ  ＣＬＥＡＮＳＩＮＧ  ＣＯＭＰＯＳＩＴＩＯＮ」と題された米国仮特許出願第６２／４９２，６２２号、２０１７年９月８日出願の「ＡＬＣＯＨＯＬ  ＣＯＮＴＡＩＮＩＮＧ  ＴＯＰＩＣＡＬ  ＣＬＥＡＮＳＩＮＧ  ＣＯＭＰＯＳＩＴＩＯＮ」と題された仮特許出願番号第６２／５５５，９８６号、および２０１７年１２月２２日出願の「ＡＬＣＯＨＯＬ  ＣＯＮＴＡＩＮＩＮＧ  ＴＯＰＩＣＡＬ  ＣＬＥＡＮＳＩＮＧ  ＣＯＭＰＯＳＩＴＩＯＮＳ」と題された米国仮特許出願第６２／６０９，４８７号の優先権および利益を請求するものであり、これらの出願の全ては、その全体が本明細書に組み込まれる。
【背景技術】
【０００２】
手洗い用組成物は、良好な洗浄、良好な発泡性をもたらし、かつ皮膚に穏やかとなるように製剤化されることが好ましい。手洗い用組成物は、典型的には、清浄化および発泡の機能を提供するために界面活性剤系を利用する。加湿剤またはその他の皮膚に有益な薬剤も、全体的な皮膚の健康および健全を促進するために利用されることがある。
【０００３】
高濃度のアルコールは抗菌特性を有し得ることから、アルコール製品は、皮膚の消毒剤として人気がある。しかしながら、皮膚に配されると、アルコールおよびその他の抗菌剤は、乾燥させる可能性があり、刺激を引き起こす可能性がある。さらに、アルコールは、強い消泡特性を持つことが知られている。そのため、アルコールが手洗い剤に添加される場合、典型的には、皮膚の健康、美観および泡質が犠牲になりうると考えられる。したがって、組成物の皮膚の健康利益および／または発泡能力に負の影響を与えることなく、アルコールを含有する新しい非抗菌清浄化組成物を設計することが有益となる。
【０００４】
非抗菌剤として組成物を製剤化することによって、刺激を起こしにくいものとする他にもさらなる利益を提供する。具体的には、抗菌組成物の強さは多くの場合必要ではなく、病原体を殺すよりはむしろ病原体を除去するという強度の少ないオプションで足りるものとなる。必ずしも必要ではなく、強度の少ないオプション。抗菌剤の不必要な使用を最小限に抑えることで、抗菌剤抵抗性の発生する可能性を制限する一助となる。
【０００５】
細菌クロストリジウム・ディフィシル（Ｃ．ディフィシル）によって引き起こされる感染症は、歴史的に高いレベルにあるままである。Ｃ．ディフィシルは、ヒトの腸の胞子形成型グラム陽性嫌気性バチルスであり、成人人口の２〜５％に存在すると考えられている。病原性Ｃ．ディフィシル株は複数の毒素を生成し、そのうち最も特徴が明らかにされているのはエンテロトキシン（クロストリジウム・ディフィシル毒素Ａ）および細胞毒素（Ｃ．ディフィシル毒素Ｂ）であり、そのどちらも感染患者における下痢および炎症を生じ得る。シプロフロキサシンやレブホロキサシンなどのフルオロキノロン抗生物質に対して抵抗性を有する、Ｃ．ディフィシルの毒性の高い新しい株の出現も報告されている。
【０００６】
様々な表面でＣ．ディフィシルの胞子を殺傷するための種々の戦略が提案されているが、成功は限定的である。これまで、アルコール系の消毒剤は、Ｃ．ディフィシルの胞子の殺傷や除去に概ね有効ではなかった。実際に、エタノールは、時おりＣ．ディフィシルの胞子の保存に使用される。
【発明の概要】
【０００７】
本発明の概念の様々な態様は、１０．０重量％から３０重量％未満までの一つまたは複数のＣ1−Ｃ8アルコール、０．５重量％から約１０．０重量％の少なくとも一つの一次界面活性剤、０重量％から約１０．０重量％の少なくとも一つの二次界面活性剤、ｐＨ調整剤、および水を含む非抗菌清浄化組成物に向けられており、そこでは、一次界面活性剤および二次界面活性剤は、８を超えるＨＬＢ値を有する。非抗菌組成物は、２．０ｌｏｇを超える微生物殺傷レベルを達成しない。
【０００８】
一部の例示的な実施形態では、組成物は、１．５ｌｏｇを超える微生物殺傷レベルを達成しない。
【０００９】
一部の例示的な実施形態では、組成物は、表面から病原体の少なくとも９８％を除去する。
【００１０】
一つまたは複数のＣ1−Ｃ8アルコールは、メタノール、エタノール、イソプロパノール、ブタノール、ペンタノール、ヘキサノール、ならびにそれらの異性体および混合物からなる群から選択されてもよい。一部の例示的な実施形態では、組成物は、２５重量％未満の一つまたは複数のＣ1−Ｃ8アルコールを含む。
【００１１】
一次界面活性剤は、アルキル硫酸ナトリウム、ドデシル硫酸ナトリウム、ドデシルベンゼンスルホン酸ナトリウム、ラウリン酸ナトリウム、ラウレス硫酸ナトリウム、ラウリルサルコシン酸ナトリウム、ラウリル硫酸カリウム、ラウリル硫酸アンモニウム、ラウレス硫酸アンモニウム、キシレンスルホン酸アンモニウム、ラウレス硫酸マグネシウム、およびミレス硫酸ナトリウム、ノナノイルオキシベンゼンスルホン酸ナトリウム、カルボキシレート、硫酸エステル、硫酸アルカノールアミド、アルキルフェノール、およびそれらの混合物からなる群から選択されるアニオン性界面活性剤であってもよい。
【００１２】
一部の例示的な実施形態では、一次界面活性剤はラウレス硫酸ナトリウムを含み、二次界面活性剤は少なくとも一つの双性イオン界面活性剤を含む。
【００１３】
双性イオン界面活性剤は、コカミドプロピルベタイン、コカミドプロピルヒドロキシルスルタイン、ラウラミドプロピルヒドロキシルスルタイン、ラウラミンオキシド、ミリスタミンオキシド、ラウロアンホジ酢酸二ナトリウム、ココアンホジ酢酸二ナトリウム、ラウロアンホ酢酸ナトリウム、ココアンホ酢酸ナトリウム、ココアンホジプロピオン酸二ナトリウム、ラウロアンホジプロピオン酸二ナトリウム、およびそれらの混合物のうちの一つまたは複数を含んでいてもよい。
【００１４】
非抗菌清浄化組成物は、組成物の総重量に基づいて、０．０１重量％から５．０重量％までの一つまたは複数の湿潤剤をさらに含むことがあり、この保湿剤は、プロピレングリコール、ヘキシレングリコール、１，４−ジヒドロキシヘキサン、１，２，６−ヘキサントリオール、ソルビトール、ブチレングリコール、カプリリルグリコール、メチルプロパンジオール、ジプロピレングリコール、トリエチレングリコール、グリセリン（グリセロール）、ポリエチレングリコール、エトキシジグリコール、ポリエチレンソルビトール、およびそれらの組み合わせからなる群から選択される。
【００１５】
非抗菌清浄化組成物のいくつかの例示的な実施形態は、清浄化組成物の総重量に基づいて、３重量％未満の油を含む。
【００１６】
本発明の概念のさらなる例示的な態様は、非抗菌清浄化組成物を表面に適用することを含む表面を清浄化する方法に向けられており、清浄化組成物は、１０．０重量％から３０重量％未満までの一つまたは複数のＣ1−Ｃ8アルコール、０．５重量％から約１０．０重量％の少なくとも一つの一次界面活性剤、０重量％から約１０．０重量％の少なくとも一つの二次界面活性剤、ｐＨ調整剤、および水を含み、一次界面活性剤および二次界面活性剤は８を超えるＨＬＢ値を有し、前述の量は非抗菌組成物の総重量に基づく。組成物は２．０ｌｏｇを超える微生物殺傷レベルを達成しない。
【００１７】
本発明の概念のさらなる例示的な実施形態は、組成物の総重量に基づいて約１０．０重量％から約２５重量％未満までの一つまたは複数のＣ1−Ｃ8アルコール、清浄化組成物の総重量に基づいて約３．０重量％から約１０．０重量％の少なくとも一つの脂肪酸、清浄化組成物の総重量に基づいて約０．５重量％から約５．０重量％の少なくとも一つの湿潤剤、清浄化組成物の総重量に基づいて約３．０重量％未満の油、塩基性ｐＨ調整剤、および水を含む、非抗菌清浄化組成物に向けられている。
【００１８】
本発明の概念のいっそうさらなる例示的な実施形態は、約１０．０重量％から約３０重量％未満までの一つまたは複数のＣ1−Ｃ8アルコールと、約０．５重量％から約１０．０重量％の少なくとも一つの一次界面活性剤および約０重量％から約１０．０重量％の少なくとも一つの二次界面活性剤を含む界面活性剤系とを含み、一次界面活性剤および二次界面活性剤が８を超えるＨＬＢ値を有し、前述の量が非抗菌組成物の総重量に基づく、非抗菌清浄化組成物に向けられている。清浄化組成物は、３．０ｌｏｇを超える微生物殺傷レベルを達成しない。さらに、清浄化組成物は、皮膚表面に適用された際に、１０重量％未満のアルコールを含む別の同一組成物の界面張力よりも少なくとも２倍低い界面張力を達成する。
【００１９】
本発明の概念のいっそうさらなる例示的な実施形態は、約１５．０重量％から約２５重量％未満までの一つまたは複数のＣ1−Ｃ8アルコール、約２．５重量％から約１０．０重量％の少なくとも一つの一次界面活性剤および約２重量％から約１０．０重量％の少なくとも一つの二次界面活性剤の界面活性剤系、ｐＨ調整剤、および水を含み、前述の量が前記非抗菌組成物の総重量に基づく、非抗菌清浄化溶液を対象とする。一部の例示的な実施形態では、組成物は単相組成物であり、３．０ｌｏｇよりも大きな微生物殺傷レベルを達成しない。
【００２０】
本発明の概念のさらなる例示的な実施形態は、約１０．０重量％から約２５重量％未満までの一つまたは複数のＣ1−Ｃ8アルコール、約０．５重量％から約１０．０重量％の少なくとも一つの一次界面活性剤、０重量％から約１０．０重量％の少なくとも一つの二次界面活性剤を含み、一次界面活性剤および二次界面活性剤が８を超えるＨＬＢ値を有し、前述の量が非抗菌組成物の総重量に基づく、非抗菌浄化組成物に向けられている。非抗菌組成物は、２．０ｌｏｇを超える微生物殺傷レベルを達成しない。さらに、Ｃ．ディフィシルの胞子に汚染された表面に適用されると、組成物は、Ｃ．ディフィシルの胞子に少なくとも９４．０％減少を達成する。
【００２１】
全体的な本発明の概念の数多くのその他の態様、利点、および／または特徴は、以下の例示的な実施形態の詳細な説明から、およびここに提出されている添付の図面から、さらに容易に明らかになってゆくものとなる。
【図面の簡単な説明】
【００２２】
【図１】図１は、様々なエタノール濃度を使用した非抗菌清浄化組成物のｉｎ  ｖｉｔｒｏ有効性（時間殺傷）をグラフで説明したものである。
【図２】図２は、皮膚試料の表面と様々な非抗菌清浄化組成物との間の界面張力をグラフで説明したものである。
【図３】図３は、様々なアルコール濃度での水性アルコール溶液の表面張力をグラフで説明したものである。
【図４】図４は、様々なアルコール濃度での非抗菌清浄化組成物の表面張力をグラフで説明したものである。
【図５】図５は、様々な非抗菌清浄化組成物による処理後の皮膚試料の皮膚水分保持の変化をグラフで説明したものである。
【図６】図６は、様々な非抗菌清浄化組成物による処理後の皮膚試料の経皮水分喪失をグラフで説明したものである。
【図７】図７は、様々な非抗菌清浄化組成物による処理後の皮膚試料の皮膚水分保持の変化をグラフで説明したものである。
【図８】図８は、様々な非抗菌清浄化組成物による処理後の皮膚試料の経皮水分喪失をグラフで説明したものである。
【図９】図９は、時間の関数としての様々な非抗菌清浄化組成物の接触角をグラフで説明したものである。
【図１０】図１０は、様々な非抗菌清浄化組成物による定量的な汚れの除去をグラフで説明したものである。
【発明を実施するための形態】
【００２３】
別途定義されていない限り、本明細書で使用されるすべての技術用語および科学用語は、本出願が関連する当業者によって一般的に理解される意味と同じ意味を有する。本明細書に記載されるものと類似または同等の他の方法および材料が例示的な実施形態の実施または試験で使用されてもよいが、例示的な適切な方法および材料は以下に記載されている。矛盾がある場合は、定義を含めて本願の明細書が制御するものとする。さらに、材料、方法、および例は例証に過ぎず、全体的な本発明の概念を制限することを意図されていない。
【００２４】
本明細書に記載される用語は、例示的な実施形態の説明のみを目的とするものであり、その全体として本出願を限定するものとして解釈されるべきではない。別途指定されない限り、「ａ」、「ａｎ」、「ｔｈｅ」、および「少なくとも一つ」は互換的に使用される。さらに、本願の記載および添付の特許請求の範囲において使用される際に、単数形「ａ」、「ａｎ」、および「ｔｈｅ」は、周辺の文脈によって矛盾しない限り、その複数形を含む。
【００２５】
別途の指示のない限り、成分、化学的および分子的特性、反応条件の量を表現し、以降本明細書および特許請求の範囲で使用されるすべての数は、「約」という用語によってすべての場合で修飾されるものと理解されるものとなる。「約」という用語は、値の±１０％以内、またはより好ましくは値の±５％以内、および最も好ましくは値の±１％以内を意味する。
【００２６】
したがって、それとは反対に指示される場合を除き、本明細書および添付の特許請求の範囲に記載される数値パラメータは、本願の例示的な実施形態によって取得されるよう求められる所望の特性に応じて変化しうる近似値である。少なくともそれぞれの数値パラメータは、有意な桁の数および通常の丸め方の観点から解釈されるべきである。
【００２７】
本明細書および特許請求の範囲全体を通して与えられる数値範囲はすべて、そのようなさらに広い数値範囲内にあるさらに狭い数値範囲を、本明細書にすべて明示的に記載されているかのごとくそれぞれ含むものとなる。
【００２８】
「局所組成物」という語句は、皮膚、および／または毛および爪などのその他の表面を含む、ヒトまたは動物の身体の表面など、表面に直接適用するのに適した組成物を意味する。局所組成物は、テーブル、カウンター、床、食品、器具、器械、物体などの無生物の表面にさらに適用されうる。
【００２９】
「非抗菌組成物」という用語は、使用中に１．５ｌｏｇ未満、１．０ｌｏｇ未満、０．５ｌｏｇ未満を含む２．０ｌｏｇ未満の微生物殺傷を達成しない組成物を意味する。「非抗菌組成物」という用語は、非抗菌組成物、非抗ウイルス組成物、非抗真菌組成物、および非抗寄生虫組成物を含む。本発明の概念によれば、本明細書に定義されるように、非抗菌組成物は、使用中、２．５ｌｏｇ以下、２．０ｌｏｇ以下、および１．５ｌｏｇ以下を含めて、３．０ｌｏｇ以下の微生物除去レベルを達成する。
【００３０】
アルコールを含む一方で高い清浄化能力、高い発泡性、および良好な皮膚のコンディショニングを提供するための適切な成分のバランスを有する、非抗菌局所清浄化組成物、特に液体または発泡性のハンドソープおよび／またはその濃縮物を製剤化できることが、今回発見されている。
【００３１】
従って、本開示は、少なくとも一つのＣ1−Ｃ8アルコールを含む非抗菌清浄化組成物およびそれを使用する方法に関する。従来、石鹸組成物へのアルコールの添加は、皮膚の健康に負の影響を及ぼし、石鹸の泡質を低下させるものと考えられていた。しかし、本明細書に開示される清浄化組成物に少なくとも一つのＣ1−Ｃ8アルコールを組み込むことによって、良好な皮膚の健康利益と泡質と安定性とを維持しつつ、優れた有効性、クリーンリリース機能、および自己保存など、数多くの利益が清浄化組成物に提供される。「泡安定性」とは、泡が崩壊して液体になる時間の長さを意味する。
【００３２】
「クリーンリリース」の概念は、組成物の展延性と濡れ性とを少なくとも部分的に向上させることにより、健康な皮膚と乾燥した／刺激された皮膚との両方の上にある病原体および汚れの除去をより良く達成する能力を包含する。クリーンリリース機能によってすすぎもさらに速やかなものとなり、そして昔ながらの商業用石鹸と比較して水分が保たれる。
【００３３】
さらに、局所清浄化組成物の様々な実施形態は、刺激の強い保存剤、パラベン、フタル酸塩、さらに別の抗微生物性成分および抗菌性成分を実質的に含まない。一部の例示的な実施形態では、清浄化組成物は、２．０重量％未満、１．０重量％未満、０．５重量％未満、または０．１重量％未満の刺激の強い保存剤、パラベン、フタル酸塩、さらに別の抗菌性成分および抗菌性成分を含む。一部の例示的な実施形態では、清浄化組成物は、そのような成分を欠いている。様々な例示的な実施形態では、清浄化組成物は、少なくとも７５％の生体系成分、または少なくとも８５％の生体系成分、または少なくとも９０％の生体系成分を含む。ある特定の例示的な実施形態では、局所清浄化組成物は、皮膚への適用のために使用され、液体または発泡性の皮膚クレンザー、ワイプ、濃縮物、ローション、および清浄化組成物に望ましい他の形態の形でありうる。局所清浄化組成物は、皮膚のクリーニングの前、間、または後に皮膚に適用されうる。
【００３４】
非抗菌清浄化組成物は、水溶液または乳濁液として提供されうる。一部の例示的な実施形態では、清浄化組成物は単相溶液であり、これは油相などの追加の相を含まないことを意味する。
【００３５】
本開示の非抗菌清浄化組成物は、非抗菌清浄化組成物の総重量に基づいて少なくとも５．０重量％の一つまたは複数のＣ1−Ｃ8アルコールを含み、そのようなものとしては、以下に限定されないが、少なくとも１０．０重量％、または少なくとも１５．０重量％、または少なくとも１８．０重量％、または少なくとも１９．０重量％、または少なくとも２０．０重量％が挙げられる。一部の例示的な実施形態では、非抗菌清浄化組成物は、非抗菌清浄化組成物の総重量に基づいて３５．０重量％以下のＣ1-Ｃ8アルコールを含み、そのようなものとしては、以下に限定されないが、３０．０重量％以下、または２８．０重量％以下、または２７．０重量％以下、または２５．０重量％以下、または２２．０重量％以下が挙げられる。一部の例示的な実施形態では、非抗菌清浄化組成物は、組成物の総重量に基づいて約５．０重量％から約３０重量％までの一つまたは複数のＣ1−Ｃ8アルコールを含み、そのようなものとしては、以下に限定されないが、約８．０重量％から約２８．０重量％、約１０．０重量％から約２７．０重量％、約１２．０重量％から約２５．０重量％、約１５．０重量％から約２２．０重量％、約１８．０重量％〜約２１重量％、およびさらに広い範囲内にあるさらに狭いあらゆる数値範囲が挙げられる。
【００３６】
一部の例示的な実施形態では、一つまたは複数のＣ1−Ｃ8アルコールは、抗菌効能をもたらす濃度よりも低い濃度で含まれる。例えば、Ｃ1−Ｃ8アルコールは、３ｌｏｇを超えるかまたは２ｌｏｇを超える微生物殺傷を組成物が達成する濃度を下回る濃度で、存在していることがある。
【００３７】
アルコールはＣ1−Ｃ8アルコール、すなわち１個から８個の炭素原子を含むアルコールである。こうしたアルコールは、低級アルカノールと呼ばれうる。低級アルカノールの例としては、以下に限定されないが、メタノール、エタノール、プロパノール、ブタノール、ペンタノール、ヘキサノール、ヘプタノール、オクタノール、ならびにそれらの異性体および混合物が挙げられる。一つまたは複数の例示的な実施形態では、アルコールは、エタノール、プロパノール、またはブタノール、またはそれらの異性体もしくは混合物を含む。一つまたは複数の例示的な実施形態では、アルコールは、イソプロパノールを含む。その他の実施形態では、アルコールは、エタノールを含む。一つまたは複数の例示的な実施形態では、清浄化組成物は、アルコールの混合物を含む。一つまたは複数の例示的な実施形態では、非抗菌清浄化組成物は、エタノールとイソプロパノールとの混合物を含む。一つまたは複数の例示的な実施形態では、非抗菌清浄化組成物は、イソプロパノールとｎ−プロパノールとの混合物を含む。
【００３８】
一部の例示的な実施形態では、アルコールの構成成分は、Ｃ1−Ｃ8アルコールに類似した機能を提供できる任意のヒドロトロープにより置換されうる。適切なヒドロトロープとしては、例えば、Ｃ2−Ｃ8ヒドロトロープ、例えばブチレングリコール、プロピレングリコール、エチレングリコール、および他のそのようなポリオールおよびグリコールを含めたＣ2−Ｃ6ポリオールおよびグリコールが挙げられる。様々な例示的な実施形態では、非抗菌組成物は、アルコールと一つまたは複数のハイドロトロープとの混合物を含む。
【００３９】
ある特定の例示的な実施形態では、非抗菌清浄化組成物は、適量（ｑ．ｓ．）の水を含む。ある特定の例示的な実施形態では、非抗菌組成物は、少なくとも約１．０重量％の水を含み、別の実施形態では、非抗菌清浄化組成物は、少なくとも約３０．０重量％の水を含み、別の実施形態では、非抗菌清浄化組成物は、少なくとも約４０．０重量％の水を含み、別の実施形態では、非抗菌清浄化組成物は、少なくとも約５０．０重量％の水を含み、別の実施形態では、非抗菌清浄化組成物は、少なくとも約６０．０重量％の水を含み、別の実施形態では、非抗菌清浄化組成物は、少なくとも約７０．０重量％の水を含み、さらに別の実施形態では、非抗菌清浄化組成物は、少なくとも約８０．０重量％の水を含む。他の実施形態では、非抗菌組成物は、約５０．０重量％から約９５．０重量％までの水を含む。さらに他の実施形態では、非抗菌組成物は、約６５．０から約９０．０重量％までの水、または約７５．０重量％から約８５．０重量％までの水を含む。特に非抗菌組成物に使用される他の成分および／またはその量に応じて、ある特定の場合に多少の水が必要とされうる。
【００４０】
非抗菌清浄化組成物は、最大約４０．０重量％の範囲の量で相乗関係で利用される、複数の界面活性剤を含みうる。一つまたは複数の実施形態では、非抗菌清浄化組成物の微生物除去効果を高めるように界面活性剤系を選択し得ることを、当業者は理解するものとなる。そのような界面活性剤系は、少なくとも一つの一次界面活性剤と少なくとも一つの二次界面活性剤とを含みうる。界面活性剤系は、石鹸の性能を高め、アルコールと相乗的に作用して、「クリーンリリース」機能をもたらす。上述のように、クリーンリリース機能により、石鹸は皮膚の亀裂および割れ目にさらに深く浸透して、アルコールと界面活性剤との相乗的な系を含まない他の同等の石鹸よりも、さらに多くの病原体および汚れを穏やかに除去することができる。このことは、亀裂と割れ目のさらに多い乾燥した／刺激された皮膚に、特に有用である。一部の例示的な実施形態では、界面活性剤系によってもたらされるクリーンリリース機能は、アルコールと界面活性剤との相乗的な系を含まない同等の石鹸よりも、少なくとも１０％多くの汚れと病原体とを除去し、そのようなものとしては、少なくとも１５％、少なくとも２０％、少なくとも２５％、および少なくとも３０％多くの汚れと病原体が挙げられる。
【００４１】
一次界面活性剤は、アニオン性、非イオン性、カチオン性、双イオン性、脂肪酸の界面活性剤のうちいずれかを含みうる。一部の例示的な実施形態では、一次界面活性剤は、非抗菌組成物の総重量に基づいて、３０重量％以下の量のアニオン性界面活性剤である。一部の例示的な実施形態では、非抗菌清浄化組成物は、約０．５重量％から約１０．０重量％のアニオン性界面活性剤、または約１．０重量％から約８．０重量％のアニオン性界面活性剤、または約２．０重量％から約５．０重量％のアニオン性界面活性剤、または約２．２重量％から約４．０重量％のアニオン性界面活性剤を含む。例示的なアニオン性界面活性剤としては、硫酸塩、例えばアルキル硫酸ナトリウム、ドデシル硫酸ナトリウム、ドデシルベンゼンスルホン酸ナトリウム、ラウリン酸ナトリウム、ラウレス硫酸ナトリウム、ラウリルサルコシン酸ナトリウム、ラウリル硫酸カリウム、ラウリル硫酸アンモニウム、ラウレス硫酸アンモニウム、キシレンスルホン酸アンモニウム、ラウレス硫酸マグネシウム、およびミレス硫酸ナトリウム；スルホン酸塩、例えばノナノイルオキシベンゼンスルホン酸ナトリウム；カルボキシレート；硫酸エステル；硫酸アルカノールアミド；アルキルフェノール；およびそれらの混合物が挙げられる。一部の例示的な実施形態では、一次界面活性剤は、ラウレス硫酸ナトリウム、ラウリル硫酸アンモニウム、ラウレス硫酸アンモニウム、キシレンスルホン酸アンモニウムのうちの任意の一つまたは複数を含む。一部の例示的な実施形態では、清浄化組成物は、アニオン性界面活性剤を含まない。
【００４２】
一部の例示的な実施形態では、非抗菌清浄化組成物は、少なくとも一つの二次界面活性剤を含む。二次界面活性剤は、非抗菌清浄化組成物の総重量に基づいて、１０重量％以下の量で含まれうる。一部の例示的な実施形態では、二次界面活性剤は、約０．０１重量％から約１０．０重量％まで、または約０．５重量％から約８．０重量％まで、または約０．７重量％から約５．０重量％まで、または約１．０重量％から約２．５重量％までの量で含まれる。
【００４３】
二次界面活性剤は、一つ以上の双イオン性（または両性）界面活性剤、非イオン性界面活性剤、カチオン性界面活性剤、またはアニオン性界面活性剤のうちの一つまたは複数を含みうる。双イオン性（両性）界面活性剤は、同じ分子に付加したカチオン性およびアニオン性の両方の中心を有する。双イオン性は、水溶液のｐＨレベルに応じて、アニオン性、カチオン性、または非イオン性のいずれでもよい。
【００４４】
例示的な双性イオン界面活性剤としては、ベタイン類、例えばコカミドプロピルベタイン；スルタイン類、例えばコカミドプロピルヒドロキシルスルタインおよびラウラミドプロピルヒドロキシルスルタイン；ならびにアンホ酢酸塩類およびアンホジ酢酸塩類、例えば  ラウロアンホジ酢酸二ナトリウム、ココアンホジ酢酸二ナトリウム、ラウロアンホ酢酸ナトリウム、ココアンホ酢酸ナトリウム、ココアンホジプロピオン酸二ナトリウム、ラウロアンホジプロピオン酸二ナトリウムが挙げられる。いくつかの例示的な実施形態では、双イオン性界面活性剤は、コカミドモノエタノールアミンである。
【００４５】
例示的な非イオン性界面活性剤としては、脂肪アルコール類、例えばセチルアルコール、ステアリルアルコール、セトステアリルアルコール、およびオレイルアルコールなど；ポリオキサマー類；エトキシ化脂肪アルコール類、例えばラウリン酸ＰＥＧ−８０ソルビタンなど；ポリオキシエチレングリコールアルキルエーテル類、例えばオクタエチレングリコールモノドデシルエーテル、およびペンタエチレングリコールモノドデシルエーテルなど；ポリオキシプロピレングリコールアルキルエーテル類；グルコシドアルキルエーテル類；ポリオキシエチレングリコールオクチルフェノールエーテル類、ポリオキシエチレングリコールアルキルフェノールエーテル類、例えばノノキシノール−９など；グリセロールアルキルエステル類、例えばラウリン酸グリセリルなど；ポリオキシエチレングリコールソルビタンアルキルエステル類、例えばポリソルベートなど；ソルビタンアルキルエステル類；コカミドＭＥＡ；コカミドＤＥＡ；アミンオキシド、例えばドデシルジメチルアミンオキシドなど；ポリエチレングリコールとポリプロピレングリコールとのブロックコポリマー類、例えばポロキサマー類など；ポリエトキシ化牛脂アミン；およびそれらの混合物が挙げられる。
【００４６】
例示的なカチオン性界面活性剤としては、四級アンモニウム塩類、直鎖アルキルアミン類、およびアルキルアンモニウム類が挙げられる。
【００４７】
補助界面活性剤は、泡の質および特性を高めるかまたは改変する目的で、擦るおよび／または乾燥する時間の間の最終配合物の感触を改変するため、アルコールの持続性または長期にわたる微生物作用をもたらすため、香りや日焼け止めなどの他の成分を可溶化するため、または刺激緩和のために、非抗菌清浄化組成物中に含まれうる。補助界面活性剤としては、必ずしも以下に限定されないが、スルホコハク酸塩類、アミンオキシド類、ラウリン酸ＰＥＧ−８０ソルビタン、ラウリン酸、ポリグルコシド類、アルカノ−ルアミド類、ソルビタン誘導体類、脂肪アルコールエトキシレート類、四級アンモニウム化合物類、アミドアミン類、スルタイン類、イソチオネート類、サルコシネート類、ベタイン類、および脂肪アルコールポリエチレングリコール類が挙げられる。
【００４８】
本清浄化組成物のある特定の例示的な実施形態は、アミン含有カウンターイオンを有する硫酸塩を含む界面活性剤を含まない。
【００４９】
ある特定の例示的な実施形態では、非抗菌清浄化組成物は、一つまたは複数の湿潤剤を含む。湿潤剤の非限定的な例としては、プロピレングリコール、ヘキシレングリコール、１，４−ジヒドロキシヘキサン、１，２，６−ヘキサントリオール、ソルビトール、ブチレングリコール、カプリリルグリコール、カプリル酸／カプリン酸グリセロール、プロパンジオール類、例えばメチルプロパンジオールなど、ジプロピレングリコール、トリエチレングリコール、グリセリン（グリセロール）、ポリエチレングリコール、エトキシジグリコール、ポリエチレンソルビトール、およびそれらの組合せが挙げられる。その他の湿潤剤としては、グリコール酸、グリコール酸塩、乳酸塩、尿素、ホホバワックスＰＥＧ−１２０エステル（ＦｌｏｒａＴｅｃｈから市販されている）、ヒドロキシエチル尿素、アルファ−ヒドロキシ酸類、例えば乳酸など、ナトリウムピロリドンカルボン酸、ヒアルロン酸、キチン、などが挙げられる。例示的な一実施形態では、湿潤剤は、グリセリン、Ｌ−ピログルタミン酸ナトリウム（ＰＣＡナトリウム）、およびポリエチレングリコールの混合物である。
【００５０】
ポリエチレングリコール湿潤剤の非限定的な例としては、ＰＥＧ−４、ＰＥＧ−６、ＰＥＧ−７、ＰＥＧ−８、ＰＥＧ−９、ＰＥＧ−１０、ＰＥＧ−１２、ＰＥＧ−１４、ＰＥＧ−１６、ＰＥＧ−１８、ＰＥＧ−２０、ＰＥＧ−３２、ＰＥＧ−３３、ＰＥＧ−４０、ＰＥＧ−４５、ＰＥＧ−５５、ＰＥＧ−６０、ＰＥＧ−７５、ＰＥＧ−８０、ＰＥＧ−９０、ＰＥＧ−１００、ＰＥＧ−１３５、ＰＥＧ−１５０、ＰＥＧ−１８０、ＰＥＧ−２００、ＰＥＧ−２２０、ＰＥＧ−２４０、およびＰＥＧ−８００が挙げられる。
【００５１】
湿潤剤または湿潤剤の混合物は、最大約２０．０重量％、または最大約１５．０重量％、または最大約１２．０重量％、または最大約１０．０重量％、または最大約８．０重量％、または最大約８．０重量％、または最大約３．０重量％の量で、非抗菌清浄化組成物中に含まれうる。ある特定の例示的な実施形態では、湿潤剤は、組成物の総重量に基づいて、約０．００１重量％から、または約０．０１重量％から、または約０．０５重量％から、または約０．１重量％から、または約０．５重量％から、または約０．７重量％から、または約１．０重量％から、または約１．５重量％から、または約２．０重量％からの量で含まれる。例示的な一実施形態では、湿潤剤または湿潤剤の混合物は、組成物の総重量に基づいて、約０．０１から約５．０重量％まで、または約０．０５から約４．０重量％まで、または約０．５から約３．０重量％までの量で含まれる。
【００５２】
本開示の非抗菌清浄化組成物は、約２．５から約１２．０までの範囲のｐＨ、または約３．５から約１０までの範囲のｐＨ、または約４．０から約９．５までの範囲のｐＨを示す。必要に応じて、ｐＨ調整剤または成分を使用して、組成物のｐＨを提供および／または維持しうる。例示的なｐＨ調整剤としては、以下に限定されないが、一級アミン類、例えばモノエタノールアミンなど；有機酸、例えばクエン酸、乳酸、ギ酸、酢酸、プロポン酸（ｐｒｏｐｏｎｉｃ  ａｃｉｄ）、酪酸、カプロン酸、シュウ酸、マレイン酸、安息香酸、カルボン酸、などが挙げられる。ある特定の例示的な実施形態では、非抗菌清浄化組成物は、クエン酸を含む。ｐＨ調整剤は、ｐＨを所望のレベルに十分に調節するのに必要な任意の量で含まれることがある。一部の例示的な実施形態では、ｐＨ調整剤は、存在する場合、非抗菌清浄化組成物の総重量に基づいて、少なくとも０．０１重量％で、または少なくとも０．０２５重量％で、または少なくとも０．０５重量％で、または少なくとも０．１重量％で、または少なくとも０．２重量％で含まれる。一部の例示的な実施形態では、ｐＨ調整剤は、非抗菌清浄化組成物の総重量に基づいて、０．０１重量％と１．０重量％との間、または０．２５重量％と０．５重量％との間、または０．０５重量％と０．２重量％との間の量で含まれる。
【００５３】
一つまたは複数の実施形態では、非抗菌清浄化組成物は、一つまたは複数の軟化剤（スキンコンディショナーまたは加湿剤としても知られる）を含む。適切な軟化剤の非限定的な例としては、アロエ、アロエオイル、ホホバオイル、ビタミンＥ、ビタミンＥ酢酸エステル（酢酸トコフェロール）、ビタミンＢ3（ナイアシンアミド）、Ｃ8-10アルカンジオール類、ピログルタミン酸のナトリウム塩（ＰＣＡナトリウム）、ヤシ油脂肪酸ＰＥＧ−７グリセリル、ココグルコシド、および／またはオレイン酸グリセリル（Ｌａｍｉｓｏｆｔ（登録商標）ＰＯ）、およびポリクオタニウム１０および３９などのポリクオタニウムが挙げられる。
【００５４】
軟化剤は、組成物の総重量に基づいて、約０．００１から約５．０重量％まで、他の実施形態では約０．００５から約３．５重量％まで、または約０．０１から約３．０重量％まで、または約０．０５から約２．５重量％まで、または約０．１から約２．０重量％まで、または約０．２５から約１．５重量％までの量で、非抗菌清浄化組成物に含めることができる。
【００５５】
一部の例示的な実施形態では、非抗菌清浄化組成物は、３重量％未満の油を含み、そのような値としては、２重量％未満、１．５重量％未満、および１．０重量％未満が挙げられる。一部の実例では、清浄化組成物は、実質的に（０．５重量％未満）または完全に油を含まない。
【００５６】
非抗菌組成物は、一つまたは複数の沈着増強剤をさらに含み得る。適切な沈着増強剤は一方向に作用し、皮膚からの物質の喪失を防止するとともに、非抗菌組成物内の成分をさらに深く角質層中に浸透することを可能にする。有利なことに、沈着増強剤は、美容的に許容可能な皮膚の感触を製剤に提供する。
【００５７】
一つまたは複数の実施形態では、沈着増強剤は、界面活性剤、胆汁酸塩およびその誘導体、キレート剤、およびスルホキシドのうち一つまたは複数を含む。
【００５８】
許容可能な沈着増強剤の一部の例としては、四級アンモニウム化合物、ヒドロキシプロピルメチルセルロース、ジメチルスルホキシド（ＤＭＳＯ）、ＤＭＡ、ＤＭＦ、１−ドデシルアザシクロヘプタン−２−オン（アゾン）、ピロリドン類、例えば２−ピロリドン（２Ｐ）およびＮ−メチル−２−ピロリドン（ＮＭＰ）など、長鎖脂肪酸類、例えばオレイン酸、および約Ｃ10〜Ｃ12の飽和アルキル鎖長を有する脂肪酸類など、例えばラウリン酸など、精油類、テルペン類、テルペノイド類、オキサゾリジノン類、例えば４−デシクロオキサゾリジン−２−オンなど、ラウリル硫酸ナトリウム（ＳＬＳ）、ラウリン酸ナトリウム、ポリソルベート類、ナトリウムグリアコレート、デオキシコール酸ナトリウム、カプリル酸、ＥＤＴＡ、リン脂質類、Ｃ12-15安息香酸アルキル、ペンチレングリコール、エトキシジグリコール、ポリソルベート−ポリエチレンソルビタン−モノラウレート、およびレシチンが挙げられる。一つまたは複数の例示的な実施形態では、沈着増強剤は、ポリオールプレポリマー−２、ポリオールプレポリマー−１４、およびポリオールプレポリマー−１５から選択されるヒドロキシ末端ポリウレタン化合物を含む。ポリオールプレポリマー−２は、時おりＰＰＧ−１２／ＳＭＤＩコポリマーと呼ばれる。
【００５９】
一つまたは複数の例示的な実施形態では、沈着増強剤は、ポリクオタニウム−６、−７、−１０、−２２、−３７、−３９、−７４または−１０１などの四級アンモニウム化合物である。
【００６０】
沈着増強剤は、組成物の総重量に基づいて、約０．００５重量％から約１０．０重量％まで、約０．０１重量％から約５．０重量％まで、約０．０５重量％から約３．０重量％まで、約０．１重量％から約２．０重量％、または約０．２重量％〜約１．０重量％までの量で、非抗菌清浄化組成物中に含まれうる。
【００６１】
任意選択的に、非抗菌清浄化組成物は、一つまたは複数のキレート剤を含みうる。キレート剤の例としては、エチレンジアミン四酢酸（ＥＤＴＡ）、およびエチレンジアミンＮ，Ｎ’−ジコハク酸（ＥＤＤＳ）、例えばエチレンジアミンジコハク酸三ナトリウムなどが挙げられる。一つまたは複数の実施形態では、キレート剤の量は、非抗菌清浄化組成物の総重量に基づいて、約０．０５から約５重量％まで、他の実施形態では、約０．１から約１重量％まで、または約０．２から約０．５重量％までである。
【００６２】
本組成物中のアルコールは、保存剤として作用するが、非抗菌組成物は、一つまたは複数の追加的な保存剤をさらに含むことがある。保存剤は、微生物の増殖や望ましくない化学変化などの腐敗を防ぐために、パーソナルケア製品に追加できる天然または合成の成分である。清浄化組成物の使用中に微生物を殺傷またはその成長を阻害する抗菌機能とは対照的に、保存剤は、組成物の保存中に微生物の成長を阻害する。典型的な化粧品保存剤は、天然の抗菌剤、広域スペクトルの保存剤、または安定剤として分類される。
【００６３】
数多くの異なるタイプの保存剤が、現在の非抗菌組成物に適用可能であるものとして想定される。保存剤の非限定的な例としては、イソチアゾリノン類、例えばメチルクロロイソチアゾリノン（例えばＫａｔｈｏｎ（商標）ＣＧなど）およびメチルイソチアゾリノンなど；パラベン類、例えばブチルパラベン、プロピルパラベン、メチルパラベン、およびゲルマブンＩＩなど；フェノキシエチハノールおよびエチルヘキシルグリセリン、有機酸、例えばソルビン酸カリウム、安息香酸ナトリウム、およびレブリン酸など；ならびにフェノキシエタノールのうちの一つまたは複数を含む。その他の例示的な実施形態では、非抗菌清浄化組成物は、アルコール以外の保存剤を何も含まない。
【００６４】
保存剤は、総組成物の重量に基づいて、最大約１０．０重量％、または約０．０５重量％から約５．０重量％まで、または約０．０８重量％から約２．０重量％までの量で、非抗菌組成物中に添加することができる。例示的な一実施形態では、保存剤は、総組成物の重量に基づいて約０．０５から約０．１５重量％の量で存在する。
【００６５】
非抗菌組成物は、一つまたは複数の抗刺激剤をさらに含み得る。抗刺激剤は、腫脹、圧痛、痛み、痒み、または赤みなどの皮膚の炎症の兆候を低減する。三つの主な抗刺激剤のタイプがあり、そのすべてが主題の本発明に適用できるものとして想定される：（１）刺激物自体を錯体化することによって動作する化合物、（２）皮膚と反応して反応部位を遮断し、刺激物が皮膚と直接反応するのを防ぐ化合物、および（３）皮膚と刺激物との間の物理的接触を防止する化合物。
【００６６】
適切な抗刺激剤のある特定の例示的な例としては、アロエベラ、アラントイン、アニオン−カチオン錯体類、アリールオキシプロピオネート類、アズレン、カルボキシメチルセルロース、セチルアルコール、フタル酸ジエチル、Ｅｍｃｏｌ  Ｅ６０７、モノエタノールアミン、グリコーゲン、ラノリン、Ｎ−（２−ヒドロキシルチル）パルミトアミド、Ｎ−ラウロイルサルコシン塩類、Ｍａｙｐｏｎ  ４Ｃ、鉱油類、ミラノール、乳酸ミリスチル、ポリプロピレングリコール、ポリビニルピロリドン（ＰＶＰ）、三級アミンオキシド類、チオジグリコール酸、およびジルコニアが挙げられる。例示的な一実施形態では、抗刺激剤は、アベナンスルミド（ａｖｅｎａ  ｓａｔｉｖａ（オート麦）、カーネルオイル、およびグリセリン）およびナイアシンアミドである。
【００６７】
抗刺激剤は、組成物の総重量に基づいて、最大約１０．０重量％、他の実施形態では、約０．００５重量％から約３．０重量％まで、および他の実施形態では、約０．０１重量％から約１．０重量％までの量で、非抗菌組成物中に含まれうる。
【００６８】
非抗菌組成物は、香料をさらに含み得る。任意の香気が非抗菌組成物に使用されうるが、そのようなものとしては、以下に限定されないが、フローラル、オリエンタル、ウッディ、およびフレッシュなどの標準的なフレグランスチャート上の任意の香気分類が挙げられる。例示的な香気としては、ザクロ、シナモン、クローブ、ラベンダー、ペパーミント、ローズマリー、タイム、シーブス、レモン、シトラス、ココナッツ、アプリコット、プラム、スイカ、ショウガおよびその組合せが挙げられる。
【００６９】
香料は、組成物の総重量に基づいて、約０．００５重量％から約５．０重量％まで、他の実施形態では約０．０１重量％から約３．０重量％まで、および他の実施形態では約０．０５重量％から約１．０重量％までの量で、非抗菌組成物中に含めることができる。香料は、任意の香水、精油、芳香化合物、揮発保留剤、テルペン、溶媒などから任意に作製されうる。ある特定の例示的な実施形態では、精油は、例えば、リモネン、シトラス・オーランティアム・ダルシス（オレンジ）果皮油、ユーカリ・グロブルス葉油、シトラス・グランディス（グレープフルーツ）果皮油、リナロール、リツェア・クベバ果実油、ラバンデュラ・ハイブリダ油、シベリアモミ油、ベルガモットミント葉抽出液、コリアンドルム・サチブム（コリアンダー）果実油、ピーパー・ニグラム（胡椒）果実油、バシニウム・アングスティフォリウム、プニカ・グラナトゥム抽出物、およびカナリウム・ルゾニクムガム不揮発物のうち一つまたは複数を含むことがある。
【００７０】
ある特定の実施形態では、非抗菌清浄化組成物は、一つまたは複数のＵＶ安定剤または抗酸化剤を含み、例えば、無機亜硫酸塩、例えば亜硫酸ナトリウム、亜硫酸カリウム、亜硫酸アンモニウム、重亜硫酸ナトリウム、重亜硫酸アンモニウム、メタ重亜硫酸ナトリウムおよびメタ重亜硫酸カリウム；マロン酸ジエチルヘキシルシリンギリデン；ビタミンＡおよび関連化合物；ビタミンＥおよび関連化合物；ビタミンＣおよび関連化合物；マロン酸ジイソプロピルバニリデン（ＤＩＰＶＭともよばれる）および関連化合物；テトラヒドロクルクメノイド類；緑茶、白茶、アルファリポ酸、イソフラボン類、セレン、亜鉛、コエンザイムＱ１０、ターメリック、クルクミン、ブチルヒドロキシトルエン（ＢＨＴ）、エチレンジアミン四酢酸（ＥＤＴＡ）；エチレンジアミン‐Ｎ，Ｎ≡−ジコハク酸（ＥＤＤＳ）、および当技術分野で一般的に使用される他の抗酸化剤が挙げられる。本発明の組成物に添加される抗酸化剤の量は、一般に約０．０１重量％と約１０．０重量％との間であり、好ましくは約０．１重量％と約５．０重量％との間である。
【００７１】
ある特定の実施形態では、非抗菌清浄化組成物は、少なくとも実質的にジメチコンを含まない。ジメチコンを「実質的に含まない」とは、非抗菌清浄化組成物が、５．０重量％未満のジメチコン、または一部の例示的な実施形態では、１．０重量％未満のジメチコン、または一部の例示的な実施形態では、０．０５重量％未満のジメチコンを含むことを意味する。様々な例示的な実施形態では、非抗菌清浄化組成物は、ジメチコンを全く含まない。
【００７２】
一部の例示的な実施形態は、スキンコンディショナーとしてジメチコンを含む。そのような実施形態では、ジメチコンは、少なくとも０．０５重量％、または少なくとも０．１重量％、または少なくとも０．５重量％、または少なくとも０．７５重量％に含まれうる。一部の例示的な実施形態では、非抗菌清浄化組成物は、約０．１から１．０重量％まで、または０．５から１．０重量％までの量でジメチコンを含む。
【００７３】
ジメチコンの例としては、シリコーングリコールが挙げられ、そのようなものとしては、以下に限定されないが、ジメチコン  ＰＥＧ−７  ウンデシレネート、ＰＥＧ−１０  ジメチコン、ＰＥＧ−８  ジメチコン、ＰＥＧ−１２  ジメチコン、ペルフルオロノニルエチルカルボキシデカルＰＥＧ１０、ＰＥＧ−２０／ＰＰＧ−２３ジメチコン、ＰＥＧ−１１  メチルエーテルジメチコン、ビス‐ＰＥＧ／ＰＰＧ−２０／２０ジメチコン、シリコーンクアット、ＰＥＧ−９ジメチコン、ＰＰＧ−１２ジメチコン、フルオロＰＥＧ−８ジメチコン、ＰＥＧ−２３／ＰＰＧ−６ジメチコン、ＰＥＧ−２０／ＰＰＧ−２３ジメチコン、ＰＥＧ  １７ジメチコン、ＰＥＧ−５／ＰＰＧ−３メチコン、ビス‐ＰＥＧ−１８メチルエーテルジメチルシラン、ビス‐ＰＥＧ−２０ジメチコン、ＰＥＧ／ＰＰＧ−２０／１５ジメチコンコポリオール、およびスルホコハク酸エステルブレンド、ＰＥＧ−８ジメチコン＼ダイマー酸ブレンド、ＰＥＧ−８ジメチコン＼脂肪酸ブレンド、ＰＥＧ−８ジメチコン＼冷却圧縮植物油＼ポリクオタニウムブレンド、ランダムブロックポリマー、およびそれらの混合物が挙げられる。有利なことに、これらの実施形態の非抗菌清浄化組成物は、空気と混合された時に安定な泡を生じ、泡安定化剤を必要としない。この明細書の目的のために、安定な泡とは、泡の作製後少なくとも約５秒間、測定可能な高さを維持するものである。それゆえ、「泡安定性」とは、泡が崩壊して液体になる時間の長さを意味する。
【００７４】
任意選択的に、一つまたは複数の泡安定化剤を用いてもよい。そのため、ある特定の実施形態では、本発明のアルコール組成物は、少なくとも一つの泡安定化剤をさらに含む。泡安定化剤は、ポリマー性であっても非ポリマー性であってもよい。一実施形態では、泡安定化剤は、ポリマー性またはオリゴマー性の泡安定剤から選択されうる。一実施形態では、泡安定化剤は、カチオン性のオリゴマーまたはポリマーを含む。
【００７５】
ポリマー性泡安定化剤としては、例えば、ポリクオタニウムポリマーが挙げられる。一般的に、ポリクオタニウムポリマーは、ＣＴＦＡによって指定されるようなものである。ポリクオタニウムポリマーは、四級アンモニウム基を含有するという特徴を有することがある。
【００７６】
一つまたは複数の実施形態では、ポリクオタニウムポリマーとしては、ビニルピロリドンとジメチルアミノメタクリレートとの四級化コポリマー、ビニルピロリドンとジメチルアミノプロピルメタクリルアミドとの疎水性に修飾された四級化コポリマー、またはそれらの混合物が挙げられる。
【００７７】
一部の例示的な実施形態では、ポリクオタニウムポリマーは、１，０００から５，０００，０００まで、別の実施形態では、約１５００から約２，５００，０００まで、さらに別の実施形態では、約１，０００，０００から約２，０００，０００までの分子量を有する。
【００７８】
泡の質および／または安定性を改善するために作用し得る他の泡安定剤としては、ビニルカプロラクタム（ＶＣＬ）、ビニルピロリドン（ＶＰ）、およびジアルキルアミノアルキルアクリレートのターポリマーが挙げられ、そのようなものとしては、ＶＰ／ビニルカプロラクタム／ジメチルアミノプロピルメタクリルアミドコポリマーが挙げられる。さらに別の泡安定化剤としては、イソブチレン／ジメチルアミノプロピルマレイミド／エトキシ化マレイミド／マレイン酸コポリマーが挙げられる。これらおよびその他の泡安定化剤は、時おり膜形成ポリマーと呼ばれる。
【００７９】
さらに他の泡安定化剤としては、アクリルアミド／アンモニウムアクリレートのコポリマー、アクリルアミド／ＤＭＡＰＡアクリレーツ／メトキシＰＥＧメタクリレートのコポリマー、アクリルアミド／アクリロイルジメチルタウリン酸ナトリウム／アクリル酸のコポリマー、アクリルアミドプロピルトリモニウムクロリド／アクリルアミドのコポリマー、アクリルアミドプロピルトリモニウムクロリド／アクリレーツのコポリマー、アクリレーツ／アセトアセトキシエチルメタクリレートのコポリマー、アクリレーツ／アクリルアミドのコポリマー、アクリレーツ／メタクリル酸アンモニウムのコポリマー、アクリレーツ／ｔ−ブチルアクリルアミドのコポリマー、アクリレーツのコポリマー、アクリレーツ／Ｃ１−２サクシネーツ／ヒドロキシアクリレーツのコポリマー、アクリレーツ／エチルアミンオキシドメタクリレートのコポリマー、アクリレーツ／ラウリルアクリレート／ステアリルアクリレーツ／エチルアミンオキシドメタクリレートのコポリマー、アクリレーツ／オクチルアクリルアミドのコポリマー、アクリレーツ／オクチルアクリルアミド／ジフェニルアモジメチコンのコポリマー、アクリレーツ／ポリトリメチルシロキシメタクリレートのコポリマー、アクリレート／ステアリルアクリレーツ／エチルアミンオキシドメタクリレートのコポリマー、アクリレーツ／トリフルオロプロピルメタクリレート／ポリトリメチルシロキシメタクリレートのコポリマー、アクリレーツ／ＶＡのコポリマー、アクリレーツ／ＶＰのコポリマー、アジピン酸／ジエチレントリアミンのコポリマー、アジピン酸／ジメチルアミノヒドロキシプロピルジエチレントリアミンのコポリマー、アジピン酸／エポキシプロピルジエチレントリアミンのコポリマー、アジピン酸／イソフタル酸／ネオペンチルグリコール／トリメチロールプロパンのコポリマー、アリルステアレート／ＶＡのコポリマー、アミノエチルアクリレートホスフェート／アクリレーツのコポリマー、アミノエチルプロパンジオール−アクリレーツ／アクリルアミドのコポリマー、アミノエチルプロパンジオール−ＡＭＰＤ−アクリレーツ／ジアセトンアクリルアミドのコポリマー、アンモニウムＶＡ／アクリレーツのコポリマー、アモジメチコン／シルセスキオキサンのコポリマー、ＡＭＰＤ−アクリレーツ／ジアセトンアクリルアミドのコポリマー、ＡＭＰ−アクリレーツ／アリルメタクリレートのコポリマー、ＡＭＰ−アクリレーツ／Ｃ１−１８アルキルアクリレーツ／Ｃ１−８アルキルアクリルアミドのコポリマー、ＡＭＰ−アクリレーツ／ジアセトンアクリルアミドのコポリマー、ＡＭＰ−アクリレーツ／ジメチルアミノエチルメタクリレートのコポリマー、バチルス／コメぬか抽出物／ダイズ抽出物の発酵濾過物、ベヘニルメタクリレート／エチルアミンオキシドメタクリレートのコポリマー、ビス−ブチルオキシアモジメチコン／ＰＥＧ−６０のコポリマー、ビス−イソブチルＰＥＧ−１４／アモジメチコンのコポリマー、ビス−イソブチルＰＥＧ−１５／アモジメチコンのコポリマー、ブチルアクリレート／エチルヘキシルメタクリレートのコポリマー、ブチルアクリレート／ヒドロキシプロピルジメチコンアクリレートのコポリマー、エチレン／ＭＡコポリマーのブチルエステル、ＰＶＭ／ＭＡコポリマーのブチルエステル、カルシウム／ナトリウムＰＶＭ／ＭＡのコポリマー、キトサン、キトサン乳酸塩、コーンスターチ／アクリルアミド／アクリル酸ナトリウムのコポリマー、デヒドロキサンタンガム、ジエチレングリコールアミン／エピクロロヒドリン／ピペラジンのコポリマー、ジメチコンのクロスポリマー、ジメチコン／シルセスキオキサンのコポリマー、ジフェニルアモジメチコン、ＰＶＭ／ＭＡコポリマーのエチルエステル、エチルトリモニウムクロリドメタクリレート／ヒドロキシエチルアクリルアミドのコポリマー、加水分解コムギタンパク質／ＰＶＰのクロスポリマー、ヒドロキシプロピルジメチコニルプロピルアクリレーツのコポリマー、ヒドロキシプロピルトリモニウム加水分解コーンスターチ、イソブチレン／エチルマレイミド／ヒドロキシエチルマレイミドのコポリマー、イソブチレン／ＭＡのコポリマー、イソブチルメタクリレート／トリフルオロエチルメタクリレート／ビス−ヒドロキシプロピルジメチコンアクリレートのコポリマー、ＰＶＭ／ＭＡコポリマーのイソプロピルエステル、ラウリルアクリレートのクロスポリマー、ラウリルメタクリレート／グリコールジメタクリレートのクロスポリマー、ラウリルＰＥＧ−９ポリジメチルシロキシエチルジメチコン、メタクリル酸／アクリルアミドメチルプロパンスルホン酸ナトリウムのコポリマー、メタクリロイルエチルベタイン／アクリレーツのコポリマー、メトキシアモジメチコン／シルセスキオキサンのコポリマー、メトキシＰＥＧ−１１４／ポリイプシロンカプロラクトン、ミリスチン／パルミチン／ステアリン／リシノール／エイコサン二グリセリド、オクチルアクリルアミド／アクリレーツ／ブチルアミノエチルメタクリレートのコポリマー、ＰＥＧ−８００／ポリビニルアルコールのコポリマー、ＰＥＧ／ＰＰＧ−２５／２５ジメチコン／アクリレーツのコポリマー、ＰＥＧ−８／ＳＭＤＩのコポリマー、ポリアクリルアミド、ポリアクリレート−６、ポリアクリレート−８、ポリアクリレート−９、ポリアクリレート−１５、ポリアクリレート−１６、ポリアクリレート−１７、ポリアクリレート−１８、ポリアクリレート−１９、ポリベータ−アラニン／グルタル酸のクロスポリマー、ポリブチレンテレフタレート、ポリエステル−１、ポリエチルアクリレート、ポリエチレンテレフタレート、ポリイミド−１、ポリメタクリロイルエチルベタイン、ポリペンタエリスリチルテレフタレート、ポリペルフルオロペルヒドロフェナントレン、ポリクオタニウム−４／ヒドロキシプロピルスターチのコポリマー、ポリウレタン−１、ポリウレタン−６、ポリウレタン−１０、ポリウレタン−１８、ポリウレタン−１９、ポリビニルアセテート、ポリビニルブチラール、ポリビニルカプロラクタム、ポリビニルホルムアミド、ポリビニルイミダゾリニウムアセテート、ポリビニルメチルエーテル、ＰＶＭ／ＭＡコポリマーのブチルエステルカリウム、ＰＶＭ／ＭＡコポリマーのエチルエステルカリウム、ＰＰＧ−７０ポリグリセリル−１０エーテル、ＰＰＧ−１２／ＳＭＤＩコポリマー、ＰＰＧ−５１／ＳＭＤＩコポリマー、ＰＶＭ／ＭＡコポリマー、ＰＶＰ／ＶＡ／イタコン酸のコポリマー、ＰＶＰ／ＶＡ／ビニルプロピオネートのコポリマー、リゾビアンガム、ｒｏｓｉｎアクリレート、シェラック、シリコーンクオタニウム−１６／グリシドキシジメチコンのクロスポリマー、ＰＶＭ／ＭＡコポリマーのブチルエステルナトリウム、ＰＶＭ／ＭＡコポリマーのエチルエステルナトリウム、ポリアクリル酸ナトリウム、ポリガンマ−グルタミン酸ナトリウム、ダイズタンパク質フタレート、ステルクリア・ウレンスのガム、テレフタル酸／イソフタル酸／イソフタル酸スルホン酸ナトリウム／グリコールのコポリマー、トリメチロールプロパントリアクリレート、トリメチルシロキシシリルカルバモイルプルラン、ＶＡ／クロトネートのコポリマー、ＶＡ／クロトネート／メタクリルオキシベンゾフェノン−１のコポリマー、ＶＡ／クロトネート／ビニルネオデカノエートのコポリマー、ＶＡ／クロトネート／ビニルプロピオネートのコポリマー、ＶＡ／ＤＢＭのコポリマー、ＶＡ／ビニルブチルベンゾエート／クロトネートのコポリマー、ビニルアミン／ビニルアルコールのコポリマー、ビニルカプロラクタム／ＶＰ／ジメチルアミノエチルメタクリレートのコポリマー、ＶＰ／アクリレーツ／ラウリルメタクリレートのコポリマー、ＶＰ／ジメチルアミノエチルメタクリレートのコポリマー、ＶＰ／ＤＭＡＰＡアクリレーツのコポリマー、ＶＰ／ヘキサデセンのコポリマー、ＶＰ／メタクリルアミド／ビニルイミダゾールのコポリマー、ＶＰ／ＶＡのコポリマー、ＶＰ／ビニルカプロラクタム／ＤＭＡＰＡアクリレーツのコポリマー、酵母パルミテート、フェニルプロピルジメチルシロキシシリケートなどのシリコン系のポリマーまたは樹脂、トリメチルシロキシシリケート、シクロペンタシロキサン、トリメチルシロキシシリケート、ジイソステアロイルトリメチロールプロパンシロキシシリケート、ビニルジメチコンクロスポリマー／ブレンド、およびアルキルセテアリルジメチコンのクロスポリマーが挙げられる。
【００８０】
一部の例示的な実施形態では、泡安定化剤としては、Ａｑｕａｆｅｘ  ＳＦ−４０の商品名で販売されているＶＰ／ビニルカプロラクタム／ジメチルアミノプロピルメタクリルアミドのコポリマー、またはＡｑｕａｆｅｘ  ＸＬ−３０の商品名で販売されているイソブチレン／ジメチルアミノプロピルマレイミド／エトキシ化マレイミド／マレイン酸のコポリマーが挙げられる。
【００８１】
一実施形態では、泡安定化剤は、非抗菌清浄化組成物の総重量に基づいて、約０．００５から約４重量パーセントまでの量で存在する。別の実施形態では、泡安定化剤は、アルコール組成物の総重量に基づいて、約０．０１から約１重量パーセントまでの量で存在し、さらに別の実施形態では、泡安定化剤は、非抗菌清浄化組成物の総重量に基づいて、約０．０２から約０．２重量パーセントまでの量で存在する。
【００８２】
非抗菌清浄化組成物は、泡ではなく液体石鹸組成物として製剤化されうる。そのような実施形態では、非抗菌清浄化組成物は、一つまたは複数の増粘剤、および任意選択で一つまたは複数の安定化剤を含む。増粘剤および安定化剤の例としては、ステアレス−１００／ＰＥＧ−１３６／ＨＤＩ  コポリマー（Ｒｈｅｏｌｕｘｅ（登録商標）８１１）などのポリウレタン系増粘剤；塩化ナトリウム；プロピレングリコール；ＰＥＧ−１２０メチルグルコースジオレートおよびメチルグルセス−１０（Ｒｉｔａ  Ｃｏｒｐ．から入手可能なＲｉｔａｔｈｉｘ  ＤＯＥ）；ヒドロキシエチルセルロース；四級ヒドロキシエチルセルロース（ポリクオタニウム−１０）；ポリ（２−メタクリルオキシエチルトリメチルアンモニウムクロライド）（ポリクオタニウム−３７）；ポリクオタニウム−３９；ヒドロキシプロピルセルロース；メチルセルロース；カルボキシメチルセルロース；スターチポリマー類；グアーヒドロキシプロピルトリモニウムクロライド；およびアクリロイルジメチルタウリンアンモニウム／ＶＰのコポリマーが挙げられる。
【００８３】
一つまたは複数の例示的な実施形態では、液体の非抗菌清浄化組成物は、従来から入手可能なおよび／または当技術分野で公知であるものなどのポリアクリレート増粘剤を含み得る。ポリアクリレート増粘剤の例としては、カルボマー、アクリレート／Ｃ１０−３０アルキルアクリレートクロスポリマー、アクリル酸とアルキル（Ｃ５−Ｃ１０）アクリレートとのコポリマー、アクリル酸と無水マレイン酸とのコポリマー、およびそれらの混合物が挙げられる。一つまたは複数の実施形態では、非抗菌清浄化組成物は、組成物の粘度を約１，０００から約６５，０００センチポアズの粘度範囲に調節するのに有効な量のポリマー性増粘剤を含む。一部の実施形態では、組成物の粘度は約５，０００から約３５，０００であり、別の実施形態では、粘度は約１０，０００から約２５，０００までである。粘度は、２２℃＋／−３℃でＲＶおよび／またはＬＶスピンドルを使用して、ブルックフィールドＲＶ粘度計によって測定される。
【００８４】
当業者によって理解されるように、有効量の増粘剤は、非抗菌組成物中の他の成分の量を含めて、数多くの因子に依存して変化するものとなる。一つまたは複数の実施形態では、有効量の増粘剤は、組成物の総重量に基づいて、少なくとも約０．０１重量％である。他の実施形態では、有効量は、少なくとも約０．０２重量％、または少なくとも約０．０５重量％、または少なくとも約０．１重量％である。一部の例示的な実施形態では、増粘剤の有効量は、組成物の総重量に基づいて、少なくとも約０．５重量％、または少なくとも約０．７５重量％である。一つまたは複数の実施形態では、本発明による組成物は、増粘剤の総組成物の最大約１０重量％を含む。ある特定の実施形態では、増粘剤の量は、組成物の総重量に基づいて、約０．０１から約１．０重量％まで、または約０．０２から約０．４重量％まで、または約０．０５から約０．３重量％までである。増粘剤の量は、組成物の総重量に基づいて、約０．１から約１０．０重量％まで、または約０．５％から約５．０重量％まで、または約０．７５から約２．０重量％まででありうる。
【００８５】
任意選択的に、清浄化組成物の組成は、一つまたは複数の薬理学的薬剤を含んでもよいが、但し、その薬理学的成分は、組成物の特性に有害な影響を与えない。このような薬剤の例としては、以下に限定されないが、抗真菌剤、抗ウイルス剤、抗菌剤、および抗寄生虫剤が挙げられる。一つまたは複数の実施形態では、組成物が抗菌組成物として特徴を有し得るように、一つまたは複数の抗菌剤が含まれる。抗菌剤の例としては、以下に限定されないが、５−クロロ−２（２，４−ジクロロフェノキシ）フェノール（ＰＣＭＸ）としても公知であり、Ｃｉｂａ−Ｇｅｉｇｙ  Ｃｏｒｐｏｒａｔｉｏｎから商品名ＩＲＧＡＳＡＮ（登録商標）で入手可能であるトリクロサン；４−クロロ−３，５−キシレノールとしても公知であり、Ｎｉｐａ  Ｌａｂｏｒａｔｏｒｉｅｓ，Ｉｎｃ．から商品名ＮＩＰＡＣＩＤＥ（登録商標）ＭＸまたはＰＸで入手可能であるクロロキシレノール；５−アミノ−１，３−ビス（２−エチルヘキシル）−５−メチル−ヘキサヒドロピリミジンとしても公知であるヘキセチジン；クロルヘキシジングルコン酸塩を含むクロロヘキシジン塩およびＮ，Ｎ”−ビス（４−クロロフェニル）−３，１２−ジイミノ−２，４，１１，１４−テトラアザテトラデカンジイミジアミドの塩；２−ブロモ−２−ニトロプロパン−１；３−ジオール、塩化ベンザルコニウム；塩化セチルピリジニウム；塩化アルキルベンジルジメチルアンモニウム類；ヨウ素；フェノール、ビスフェノール、ジフェニルエーテル、フェノール誘導体、ポリビニルピロリジノン−ヨウ素を含めたポビドンヨード；パラベン類；２，４−イミダゾリジンジオンおよび２，４−イミダゾリジンジオンの誘導体ならびにジメチロール−５，５−ジメチルヒダントイン（ＤＭＤＭヒダントインまたはグライダントとしても公知）を含めたヒダントイン類およびその誘導体；フェノキシエタノール；クオタニウム−１５としても公知であり、Ｄｏｗ  Ｃｈｅｍｉｃａｌ  Ｃｏｍｐａｎｙから商品名ＤＯＷＣＩＬ（商標）２００で入手可能である、１−（３−クロロアリル）−３，５，６−トリアザ−１−アゾニアアダマンタンクロリドのシス異性体；ジアゾリジニル尿素；塩化ベンゼトニウム；塩化メチルベンゼトニウム；ラウリン酸グリセリル；銀、銅、マグネシウム、亜鉛化合物などの遷移金属化合物類；過酸化水素；二酸化塩素；アニリド類；ビスグアニジン類；ＩＮＣＩ名カプリルヒドロキサム酸（および）プロパンジオールを有する生物静力学剤および静真菌剤のブレンド、ならびにそれらの混合物が挙げられる。
【００８６】
一つまたは複数の実施形態では、組成物は、組成物の総重量に基づいて、約０．０５から約３重量％まで、約０．０７から約２．５重量％まで、他の実施形態では、約０．０９から約１重量％まで、他の実施形態では、約０．１から約０．７５重量％まで、他の実施形態では、約０．１５から約０．５重量％までの少なくとも一つの抗菌剤を含む。
【００８７】
一つまたは複数の実施形態では、本発明の組成物は、一つまたは複数のプロバイオティクスおよび／またはプレバイオティクスをさらに含みうる。一つまたは複数の実施形態では、上記一つまたは複数のプロバイオティクスは、皮膚微生物叢に正に影響を及ぼす一つまたは複数の皮膚共生微生物を含む。例えば、上記一つまたは複数のプロバイオティクスは、例えば、ｐＨを変更することまたは病原性微生物の成長を阻害することによって、皮膚表面環境に正に影響を及ぼす微生物を含みうる。一つまたは複数の実施形態では、上記一つまたは複数のプロバイオティクスは、個体の皮膚表面に天然に見られる一つまたは複数の微生物を含みうる。一つまたは複数の実施形態では、上記一つまたは複数のプロバイオティクスは、個体の皮膚表面に天然には見られないが皮膚表面環境に正に影響を与える、一つまたは複数の微生物を含む。一つまたは複数の実施形態では、上記一つまたは複数のプロバイオティクスは、一つまたは複数の操作された微生物を含み得る。例えば、上記一つまたは複数のプロバイオティクスは、例えば、病原性微生物の阻害剤を合成し排出することによって、皮膚表面環境に正に影響を与える特性を有するように遺伝子操作された微生物を含むことができる。例えば、参照により本明細書に組み込まれるＭａｒｔｉｎ  ｅｔ  ａｌ．（２０１３）Ｍｉｃｒｏｂｉａｌ  Ｃｅｌｌ  Ｆａｃｔｏｒｉｅｓ，１２：７１を参照されたい。一つまたは複数の実施形態では、上記プロバイオティクスは、生きたプロバイオティック微生物を含む。一つまたは複数の実施形態では、上記プロバイオティクスは、生きた形態、死んだ形態、半活性または不活性化された形態、およびまたは生きているかまたは死滅したかのいずれかの微生物に由来する断片または画分に（例えば凍結乾燥粉末として）含まれることがある。一つまたは複数の実施形態では、上記プロバイオティクスは、微生物の培養上清を含む。
【００８８】
一つまたは複数の実施形態では、上記一つまたは複数のプロバイオティクスは、一つまたは複数の細菌プロバイオティクスを含む。一つまたは複数の実施形態では、上記一つまたは複数の細菌プロバイオティクスは、ファーミキューテス、アクチノバクテリア、バクテロイデス、プロテオバクテリア、またはシアノバクテリアのうちの一つまたは複数を含む。一つまたは複数の実施形態では、上記一つまたは複数の細菌プロバイオティクスは、コリネバクテリウム属、プロピオニバクテリウム属、マイクロコッカス属、またはスタフィロコッカス属のうちの一つまたは複数を含む。一つまたは複数の実施形態では、上記一つまたは複数の細菌プロバイオティクスは、非乳酸および／または乳酸産生細菌（ＬＡＢ）を含み、バクテロイデス属、ビフィバクテリウム属、およびラクトバチルス属を含み得る。一つまたは複数の実施形態では、上記一つまたは複数の細菌プロバイオティクスとしては、アエロコッカス属、大腸菌、バチルス属、エンテロコッカス属、フソバクテリウム属、ラクトコッカス属、ロイコノストック属、メリソコッカス属、ミクロコッカス属、オエノコッカス属、スポロラクトバチルス属、ストレプトコッカス属、スタフィロコッカス属、サッカロマイセス属、ペディオコッカス属、ペプトストレプトコッカス属、プロプリオネバクテリウム属、およびワイセラ属のある特定の菌株が挙げられる。多種多様な細菌株が、ＡＴＣＣ、バージニア州マナサスから入手可能である。一つまたは複数の実施形態では、上記一つまたは複数のプロバイオティクスは、病原性細菌のうち一つまたは複数の非病原性株を含む。
【００８９】
一つまたは複数の実施形態では、一つまたは複数の治療剤は、一つまたは複数のプレバイオティクスを含む。一つまたは複数の実施形態では、上記一つまたは複数のプレバイオティクスは、個体の皮膚表面で目的の微生物の生存および／または成長を促進する薬剤である。一つまたは複数の実施形態では、上記一つまたは複数のプレバイオティクスは、ガラクト−オリゴ糖類、フルクト−オリゴ糖類、イヌリン、またはラクツロースのうちの少なくとも一つを含む。一つまたは複数の実施形態では、上記一つまたは複数のプレバイオティクスは、鉄、ビオチン、ニコチン酸、Ｄ−パントテン酸、ピリドキサール、ピリドキサミン二塩酸塩、チアミン塩酸塩、バリン、アルギニン、ガラクトース、マンノース、フルクトース、スクロース、ラクトース、またはマルトースのうちの一つまたは複数を含む。一つまたは複数の実施形態では、上記一つまたは複数のプレバイオティクスは、植物由来プレバイオティクス、例えばアカシアガム、コンニャク、チコリー根、キクイモ、アスパラガス、およびタンポポ葉に由来するもののうち一つまたは複数を含む。例えば、両方とも参照により本明細書に組み込まれる米国特許出願公開第２０１３／０１１５３１７号Ａ１；およびＢａｔｅｎｉ  ｅｔ  ａｌ．（２０１３）Ａｍ．Ｊ．Ｄｅｒｍａｔｏｌｏｇｙ  Ｖｅｎｅｒｅｏｌｏｇｙ  ２：１０−１４を参照されたい。
【００９０】
組成物は、皮膚の健康、美観、または泡の質には有害な影響を及ぼさない幅広い範囲の任意選択的な成分をさらに含んでもよい。そのどちらもその全体が参照により本明細書に組み込まれるＣＴＦＡ  Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ  ａｎｄ  Ｈａｎｄｂｏｏｋ、Ｅｌｅｖｅｎｔｈ  Ｅｄｉｔｉｏｎ  ２００５、および２００４  ＣＴＦＡ  Ｉｎｔｅｒｎａｔｉｏｎａｌ  Ｂｕｙｅｒ'ｓ  Ｇｕｉｄｅは、通例スキンケア産業で用いられる多種多様な非限定的な美容および薬学的な成分を記載しており、それらの成分は、本発明の組成物中での使用に適している。これらの機能的なクラスの例としては、研磨剤、抗にきび剤、固化防止剤、抗酸化剤、結合剤、生物学的添加剤、充填剤、キレート剤、化学添加剤；着色剤、美容収れん剤、美容殺生物剤、変性剤、薬物収れん剤、乳化剤、外部鎮痛剤、フィルム形成体、香料成分、乳白剤、可塑剤、保存剤（時々抗菌剤と呼ばれる）、噴霧薬、還元剤、皮膚脱色剤、皮膚コンディショニング剤（軟化剤、ミセル形成剤、および閉塞剤）、皮膚保護剤、溶剤、界面活性剤、発泡力増進剤、ハイドロトロープ、可溶化剤、懸濁剤（非界面活性剤）、日焼け止め剤、紫外線吸収剤、粘着防止剤、および増粘剤（水性および非水性）が挙げられる。当業者によく知られている、本明細書で有用な他の機能的クラスの材料の例としては、可溶化剤、補足剤、角質溶解薬、局所有効成分などが挙げられる。
【００９１】
本発明の組成物は、石鹸、消毒剤、またはローション製品に典型的に使用される数多くのタイプのディスペンサー、例えばポンプディスペンサーに用いられうる。一部の実施形態では、濃縮物製品を送達する際に、ポンプ量は、より少ない量の液体および／またはより多い量の空気を送達するように調節されることが求められることがある（泡を分注する際に）。多種多様なポンプディスペンサーが適切である。ポンプディスペンサーは、ボトルまたはその他の自立式の容器に貼り付けられうる。ポンプディスペンサーは、壁取り付け式ディスペンサーに組み込まれてもよい。ポンプディスペンサーは、手でまたは足ポンプによって手動で起動されてもよく、または自動的に起動されてもよい。有用なディスペンサーとしては、ＮＸＴ（登録商標）およびＴＦＸ（商標）の名称でＧＯＪＯ  Ｉｎｄｕｓｔｒｉｅｓから入手可能なもの、ならびに従来型バッグインボックスディスペンサーが挙げられる。ディスペンサーの例は、そのすべてが参照により本明細書に組み込まれる米国特許第５，２６５，７７２号、第５，９４４，２２７号、第６，８７７，６４２号、第７，０２８，８６１号、第７，６１１，０３０号、および第７，６２１，４２６号に記載されている。一つまたは複数の実施形態では、ディスペンサーは、それを通して組成物が分注されるノズルなどの出口を含む。一部の例示的な実施形態では、非抗菌組成物は、発泡ポンプを用いるディスペンサーで使用され、そのディスペンサーは、周囲の空気または不活性ガスと組成物とを混合チャンバー内で組み合わせて、混合物をメッシュスクリーンに通過させる。使用されうる発泡ポンプの例示的な実施形態は、「Ｓｔｅｐｐｅｄ  Ｐｕｍｐ  Ｆｏａｍ  Ｄｉｓｐｅｎｓｅｒ」と題された米国特許第７，３０３，０９９号；「Ｓｐｌｉｔ  Ｅｎｇａｇｅｍｅｎｔ  Ｆｌａｎｇｅ  ｆｏｒ  Ｓｏａｐ  Ｐｉｓｔｏｎ」と題された米国特許第８，００２，１５０号；「Ｅｎｇａｇｅｍｅｎｔ  Ｆｌａｎｇｅ  ｆｏｒ  Ｆｌｕｉｄ  Ｄｉｓｐｅｎｓｅｒ  Ｐｕｍｐ  Ｐｉｓｔｏｎ」と題された米国特許第８，０９１，７３９号；「Ｅｎｇａｇｅｍｅｎｔ  Ｆｌａｎｇｅ  ｆｏｒ  Ｒｅｍｏｖａｂｌｅ  Ｄｉｓｐｅｎｓｅｒ  Ｃａｒｔｒｉｄｇｅ」と題された米国特許第８，１１３，３８８号；「Ａｎｇｌｅｄ  Ｓｌｏｔ  Ｆｏａｍ  Ｄｉｓｐｅｎｓｅｒ」と題された米国特許第８，２７２，５３９号；「Ｓｐｌｉｔ  Ｅｎｇａｇｅｍｅｎｔ  Ｆｌａｎｇｅ  ｆｏｒ  Ｓｏａｐ  Ｄｉｓｐｅｎｓｅｒ  Ｐｕｍｐ  Ｐｉｓｔｏｎ」と題された米国特許第８，２７２，５４０号；「Ｓｐｌｉｔ  Ｅｎｇａｇｅｍｅｎｔ  Ｆｌａｎｇｅ  ｆｏｒ  Ｓｏａｐ  Ｄｉｓｐｅｎｓｅｒ  Ｐｕｍｐ  Ｐｉｓｔｏｎ」と題された米国特許第８，４６４，９１２号；「Ｄｒａｗ  Ｂａｃｋ  Ｐｕｓｈ  Ｐｕｍｐ」と題された米国特許第８，３６０，２８６号；「Ｈｉｇｈ  Ｑｕａｌｉｔｙ  Ｎｏｎ−Ａｅｒｏｓｏｌ  Ｈａｎｄ  Ｓａｎｉｔｉｚｉｎｇ  Ｆｏａｍ」と題された米国特許出願第１５／４２９，３８９号；「Ｓｅｑｕｅｎｔｉａｌｌｙ  Ａｃｔｉｖａｔｅｄ  Ｍｕｌｔｉ−Ｄｉａｐｈｒａｇｍ  Ｆｏａｍ  Ｐｕｍｐｓ，Ｒｅｆｉｌｌ  Ｕｎｉｔｓ  ａｎｄ  Ｄｉｓｐｅｎｓｅｒ  Ｓｙｓｔｅｍｓ」と題された米国特許出願第１５��３６９，００７号；「Ｄｉａｐｈｒａｇｍ  Ｆｏａｍ  Ｐｕｍｐ」と題された米国特許第８，１７２，５５５号；「Ｇｅａｒ  Ｐｕｍｐ  ａｎｄ  Ｆｏａｍ  Ｄｉｓｐｅｎｓｅｒ」と題された米国特許出願公開第２００８／０，２７７，４２１号に示され記載されており、それらのすべては参照によりその全体を本明細書に組み込まれている。
【００９２】
例示的なタッチフリーディスペンサーもまた、「Ｅｌｅｃｔｒｏｎｉｃａｌｌｙ  Ｋｅｙｅｄ  Ｄｉｓｐｅｎｓｉｎｇ  Ｓｙｓｔｅｍ  Ａｎｄ  Ｒｅｌａｔｅｄ  Ｍｅｔｈｏｄｓ  Ｕｔｉｌｉｚｉｎｇ  Ｎｅａｒ  Ｆｉｅｌｄ  Ｒｅｓｐｏｎｓｅ」と題された米国特許第７，８３７，０６６号；「Ｐｏｗｅｒ  Ｓｙｓｔｅｍｓ  Ｆｏｒ  Ｔｏｕｃｈ  Ｆｒｅｅ  Ｄｉｓｐｅｎｓｅｒｓ  ａｎｄ  Ｒｅｆｉｌｌ  Ｕｎｉｔｓ  Ｃｏｎｔａｉｎｉｎｇ  ａ  Ｐｏｗｅｒ  Ｓｏｕｒｃｅ」と題された米国特許第９，１７２，２６６号；「Ａｐｐａｒａｔｕｓ  ｆｏｒ  Ｈａｎｄｓ−Ｆｒｅｅ  Ｄｉｓｐｅｎｓｉｎｇ  ｏｆ  ａ  Ｍｅａｓｕｒｅｄ  Ｑｕａｎｔｉｔｙ  ｏｆ  Ｍａｔｅｒｉａｌ」と題された米国特許第７，９０９，２０９号；「Ａｐｐａｒａｔｕｓ  ｆｏｒ  Ｈａｎｄｓ−Ｆｒｅｅ  Ｄｉｓｐｅｎｓｉｎｇ  ｏｆ  ａ  Ｍｅａｓｕｒｅｄ  Ｑｕａｎｔｉｔｙ  ｏｆ  Ｍａｔｅｒｉａｌ」と題された米国特許第７，６１１，０３０号；「Ｅｌｅｃｔｒｏｎｉｃａｌｌｙ  Ｋｅｙｅｄ  Ｄｉｓｐｅｎｓｉｎｇ  Ｓｙｓｔｅｍｓ  ａｎｄ  Ｒｅｌａｔｅｄ  Ｍｅｔｈｏｄｓ  Ｕｔｉｌｉｚｉｎｇ  Ｎｅａｒ  Ｆｉｅｌｄ  Ｒｅｓｐｏｎｓｅ」と題された米国特許第７，６２１，４２６号；「Ｔｏｕｃｈ−Ｆｒｅｅ  Ｄｉｓｐｅｎｓｅｒ  ｗｉｔｈ  Ｓｉｎｇｌｅ  Ｃｅｌｌ  Ｏｐｅｒａｔｉｏｎ  ａｎｄ  Ｂａｔｔｅｒｙ  Ｂａｎｋｉｎｇ」と題された米国特許第８，９６０，４９８号に示され記載されており、それらのすべては参照により本明細書に組み込まれる。
【００９３】
泡の形態で本明細書に開示される組成物を分注するのに特に適した例示的なディスペンサーおよびポンプは、「Ｆｏａｍ  Ｄｉｓｐｅｎｓｉｎｇ  Ｓｙｓｔｅｍｓ，Ｐｕｍｐｓ  ａｎｄ  Ｒｅｆｉｌｌ  Ｕｎｉｔｓ  Ｈａｖｉｎｇ  Ｈｉｇｈ  Ａｉｒ  ｔｏ  Ｌｉｑｕｉｄ  Ｒａｔｉｏｓ」と題された米国特許出願第１５／３５６７９５号；および「Ｓｅｑｕｅｎｔｉａｌｌｙ  Ａｃｔｉｖａｔｅｄ  Ｍｕｌｔｉ−Ｄｉａｐｈｒａｇｍ  Ｆｏａｍ  Ｐｕｍｐｓ，Ｒｅｆｉｌｌ  Ｕｎｉｔｓ  ａｎｄ  Ｄｉｓｐｅｎｓｅｒ  Ｓｙｓｔｅｍｓ」と題された米国特許出願第１５／４８０，７１１号に見出され得るが、それらは参照によりその全体が本明細書に組み込まれる。
【００９４】
一つまたは複数の実施形態では、非抗菌組成物は、ワイプ組成物に組み込まれる。適切なワイプ基材は、米国特許第５，６８６，０８８号、第６，４１０，４９９号、第６，４３６，８９２号、第６，４９５，５０８号、第６，８４４，３０８号にさらに記載されている。一つまたは複数の実施形態では、ワイプは、スパンボンド法／メルトブローイング法／スパンボンド法（ＳＭＳ）によって形成される積層物を含みうる。一般的に、ＳＭＳ材料は、二つの外側スパンボンドウェブの間に挟まれたメルトブローウェブを含む。ＳＭＳ材料は、米国特許第４，０４１，２０３号、第５，１６９，７０６号、第５，４６４，６８８号、および第４，７６６，０２９号にさらに記載され、例えば、Ｓｐｕｎｇｕａｒｄ  ７およびＥｖｏｌｕｔｉｏｎ  ７などの商標でＫｉｍｂｅｒｌｙ−Ｃｌａｒｋ  Ｃｏｒｐｏｒａｔｉｏｎから市販されている。ＳＭＳラミネートは、処理されていても非処理であってもよい。
【００９５】
一部の例示的な実施形態では、非抗菌清浄化組成物は、表面の汚れおよび病原体の少なくとも９０％を除去し、そのような値としては、少なくとも９５％、９７％、９８％、および９９％が挙げられる。ある特定の例示的な実施形態によれば、非抗菌清浄化組成物は、８０から９９．９％のセラチア・マルセッセンス細菌を皮膚表面から除去し、そのような値としては、以下に限定されないが、９８．０から９９．９％、９９．３から９９．８％、９９．４から９９．６％、９９．２から９９．８％、９９．１から９９．９％などが挙げられる。ある特定の例示的な実施形態によれば、非抗菌清浄化組成物は、８０から９９．９％のスタフィロコッカス・アウレウス細菌を皮膚の表面から除去し、そのような値としては、以下に限定されないが、９９．４から９９．７％、９９．３から９９．６％、９９．２から９９．８％、９９．１から９９．９％などが挙げられる。しかも、以下の表１に示すように、非抗菌清浄化組成物は、皮膚由来の少なくとも９９％のエンテロコッカス・フェカリス細菌の除去をさらに示す。
【表１】
2020519708.tif 000002
【００９６】
驚くべきことに、非抗菌清浄化組成物は、Ｃ．ディフィシルの胞子除去に有効であることが発見されている。ある特定の例示的な実施形態によれば、局所清浄化組成物は、少なくとも９３％の胞子の減少を達成するが、そのような値としては、以下に限定されないが、少なくとも９３．５％、少なくとも９４％、および少なくとも９４．５％の減少が挙げられる。
【００９７】
下記の表２は、アルコールを含まない別の同等の石鹸と比較して、Ｃ．ディフィシルで汚染された表面を本明細書に開示される清浄化クリーナーにより処理した比較の結果を示す。１５０μＬの胞子を手のそれぞれの掌の表面に適用して指の平の表面を含めて摺り合わせることにより、手を汚染した。試験方法は、Ｅｄｍｏｎｄｓ  ｅｔ  ａｌ（２０１３）Ｅｆｆｅｃｔｉｖｅｎｅｓｓ  ｏｆ  Ｈａｎｄ  Ｈｙｇｉｅｎｅ  ｆｏｒ  Ｒｅｍｏｖａｌ  ｏｆ  Ｃｌｏｓｔｒｉｄｉｕｍ  ｄｉｆｆｉｃｉｌｅ  Ｓｐｏｒｅｓ  ｆｒｏｍ  Ｈａｎｄｓ.  ＩＣＨＥ  ３４、３０２〜３０５に記載された方法に合致するものである。表２に示されるように、非抗菌清浄化組成物は、Ｃ．ディフィシルの胞子に１．２６±０．２６のｌｏｇ減少を示すが、それに比べてアルコールを含まない同等の石鹸で処理した際には０．９７±０．１９のｌｏｇ減少である。
【表２】
2020519708.tif 000003
【００９８】
驚くべきことに、非抗菌清浄化組成物は高レベルの病原体除去を達成できるとはいえ、微生物殺傷レベルが３．５ｌｏｇを下回ったままであることが発見されている。一部の例示的な実施形態では、微生物殺傷のレベルは、２．５ｌｏｇ、２．３ｌｏｇ、２．１ｌｏｇ、１．９ｌｏｇ、または１．５ｌｏｇ以下など、３．０ｌｏｇを超えない。図１に示した通り、エタノール濃度３０重量％では、Ｓ．マルセッセンスおよびＳ．アウレウスの両方に対する微生物殺傷のレベルは、２．０ｌｏｇの殺傷を下回る。２０重量％のエタノール濃度では、微生物殺傷のレベルは０．５ｌｏｇの殺傷を下回って低下する。
【００９９】
本発明の非抗菌清浄化組成物の驚くべき利益とは、経皮水分喪失測定によって測った際に、アルコールの存在下であっても、使用後に組成物が皮膚の水分含量に負の影響を与えないことである。一部の例示的な実施形態では、皮膚表面への適用後、非抗菌清浄化組成物は、アルコールを含まない別の同一の組成物と比較して、統計的に有意な量ほど高くはない経皮水分喪失の測定値を生じる。
【０１００】
本非抗菌清浄化組成物の別の利点は、コルネオメーター（登録商標）を使用して測定された際に、アルコールの存在下であっても、組成物が使用後の皮膚の全体的な水分保持を改善することである。一部の例示的な実施形態では、非抗菌清浄化組成物は、アルコールを含まない別の同一の組成物と比較して、統計的に有意な量ほど低くはない水分保持レベルを生じる。
【０１０１】
さらに、非抗菌清浄化組成物は、アルコールと界面活性剤との相乗的な系を含まない他の同等の石鹸と比較して、皮膚の表面の界面張力が低減されており、それによって組成物の展延性が改善し、すすぎ時間が短縮することがさらに発見された。界面張力とは、ある物質の液相と別の物質の固体、液体、または気相のいずれかとの間の力である。その相互作用は各物質の表面で発生し、その結果、その界面が生じる。この場合、界面張力は、皮膚（またはその他の局所表面）と局所組成物との界面に存在するエネルギーを測定する。石鹸については、低い界面張力は、効率良く広がること、液体が表面に良好に被覆すること、表面から汚れを追い出す可能性がより高いこと、およびすすぎがより早いことを標示する。低い界面張力は、液体の全体的な表面張力および表面極性が、石鹸の適用される表面のそれらに適合することに起因する。
【０１０２】
一部の例示的な実施形態では、非抗菌清浄化組成物は、アルコールと界面活性剤との相乗的な系を含まない別の同等の石鹸の少なくとも２×の界面張力の減少を達成する。このような界面張力の減少は、図２に図示されているが、この図は、本清浄化組成物（試料Ａ）の界面張力を、１）少なくとも１０％のアルコールを含まない他の同等の石鹸（比較試料１）および２）市販の非抗菌石鹸（比較試料２）と比較している。図２に示すように、非抗菌清浄化組成物の界面張力が約１．１５ｍＮ／ｍであるのに対し、比較試料１の界面張力は約２．１ｍＮ／ｍであり、比較試料２は約２．４ｍＮ／ｍである。
【０１０３】
非抗菌清浄化組成物の展延性がさらに改善されるのは、組成物の接触角が低減することに起因する。接触角とは、表面と液体との間の入射角の測定値である。例えば、水は、接触角が大きく、皮膚上に液滴として位置するものとなるのに対し、エタノールは、接触角が小さく、皮膚上の亀裂および割れ目の中に急速に広がるものとなる。接触角がより小さいとは、配合が皮膚上の優れた湿潤と展延性とを有することを意味する。
【０１０４】
一部の例示的な実施形態では、非抗菌清浄化組成物は、皮膚の表面への適用の１秒後に３０°未満の接触角を、および皮膚の表面への適用の２秒後に１０°未満の接触角を有する。その他の例示的な実施形態では、非抗菌洗浄組成物は、皮膚の表面への適用の１秒後に２０°未満の接触角を、および皮膚の表面への適用の２秒後に５°未満の接触角を有する。
【０１０５】
さらに驚くべきことに、アルコールの存在によって典型的には水性アルコール溶液の表面張力は減少するものの（図３を参照）、実際には、アルコール濃度が約２重量％から約２８重量％までに増加した際には、本組成物の表面張力が増加した（図４を参照）ことが発見された。一部の例示的な実施形態では、組成物は、約２９．６ｍＮ／ｍと約３０．３ｍＮ／ｍとの間の表面張力を有する。
【０１０６】
一部の例示的な実施形態では、非抗菌清浄化組成物は以下を含む。
【表３】
2020519708.tif 000004
【表４】
2020519708.tif 000005
【表５】
2020519708.tif 000006
【０１０７】
さらなる例示的な実施形態は、病原体を除去し、経皮水分喪失（ＴＷＥＬ）を制御するための皮膚治療の方法に関する。ある特定の例示的な実施形態では、本方法は、非抗菌清浄化組成物を皮膚表面に適用することを含む。ある特定の例示的な実施形態では、非抗菌組成物は、組成物の総重量に基づいて約１０から約４０重量％の一つまたは複数のＣ1−Ｃ8アルコール、少なくとも約５重量％の一つまたは複数の界面活性剤、および水を含む。
【０１０８】
ある特定の例示的な実施形態では、本方法は、少なくとも９９％の汚れおよび病原体を除去する抗菌清浄化組成物を結果として生じる。ある特定の例示的な実施形態では、本方法は、非抗菌清浄化組成物を水で表面からすすぎ出すことをさらに含む。ある特定の例示的な実施形態では、本方法を使用すると、８０から９９％のセラチア・マルセッセンス細菌が、皮膚の表面から除去される。
【実施例】
【０１０９】
以下の例は、例示の目的のために含まれており、本明細書に記載の開示の範囲を制限することを意図されていない。
実施例１：
【０１１０】
皮膚の水分保持を改善または維持し経皮水分喪失（ＴＥＷＬ）を制限する能力について、局所組成物を皮膚試料に対し供試した。ヒトの皮膚の水バリア機能を研究するために、平方メートルおよび時間当たりのグラムで表現されるＴＥＷＬの測定値を使用する。皮膚を保護する被覆がより完璧であるほど、水含有量がより高く、ＴＥＷＬがより低いものとなる。各試験について、８％のＳＬＳによる処理を含む陰性対照を使用した。非処理皮膚試料も比較のために試験された。前腕対照適用試験（ＦＣＡＴ）法を使用して試験を実施した。様々な試料を数日間にわたって前腕の試験部位に適用した。各日最大６回の適用を行い、ＴＥＷＬおよび水分保持レベルの変化を記録した。誘電性媒質の静電容量測定に基づき、コルネオメーター（登録商標）を使用して、水分保持レベルを測定したコルネオメーター（登録商標）は、皮膚表面の水分保持が精密コンデンサの誘電率を変化させることに起因する静電容量の変化を測定する。測定値は、水分保持レベルのわずかなわずかな変化さえ検出することができる。
【０１１１】
ＴＥＷＬおよび水分保持レベルの変化は、特定の試料についてベースライン（処理前の経皮水分含量または水分保持レベル）と比較して観察された変化を表す。非処理の試料は、最も高い水分保持レベルと最も低いＴＥＷＬとを示すことが期待された。同様に、陰性対照は最も低い水分レベルと最も高いＴＥＷＬとを有することが期待されたが、それは、ＳＬＳは皮膚刺激性であり、皮膚上の天然の油分を溶解し、乾燥効果を引き起こすことが知られているためである。供試された組成物は、総組成物の重量に基づいて、重量％で以下を含む。
表９
【表６】
2020519708.tif 000007
表１０
【表７】
2020519708.tif 000008
【０１１２】
図５に図示されるように、陰性対照は、実際には最も低い水分保持レベルを示した。同様に、０％アルコールを含む対照Ｂは、陰性対照に匹敵する水分保持レベルを２日目および４日目に示した。しかし、アルコールを添加すると、試料３および４は水分保持レベルの改善を示し、２日目のレベルは非処理の皮膚試料に匹敵した。さらに、試料１および２は、対照に匹敵する水分保持レベルを示し、測定された水分保持レベルの差は統計的に有意ではなかった。したがって、清浄化組成物へのアルコールの添加によって、適用後の皮膚の全体的な水分保持レベルは、有意には損なわれず、場合によっては改善したことがわかる。
【０１１３】
図６に図示されるように、陰性対照は、実際には最も高いＴＥＷＬを示した。さらに、試料１および試料２（それぞれ１５％および３０％のアルコールを含む）は、アルコールを含まない対照Ａと同様に、陰性対照よりも顕著に少ないＴＥＷＬを示した。アルコールが既知の乾燥剤であり、水分喪失の増加を引き起こすことが予想されたことから、これは驚くべきことである。さらにいっそう驚くべきは、対照Ｂ（０％アルコール）と比較して、試料４（３０％アルコール）のＴＥＷＬの減少があったことである。
実施例２：
【０１１４】
８％ＳＬＳを含む陰性対照、非処理皮膚、および対照Ａに比べて、皮膚の水分保持を改善または維持し経皮水分喪失を制限する能力について、非抗菌清浄化組成物（試料５、上記の試料１および試料２と同一であるが２０％のアルコールを含む）を供試した。乾燥皮膚および湿潤皮膚の両方に関して試料を供試した。
【０１１５】
図７は、様々な組成物を用いて皮膚試料を治療した後に観察されたＴＥＷＬの変化を説明する。ＴＥＷＬの変化は、ベースライン（治療前の経皮水分含量）と比較した特定の試料について観察された変化を表す。各組成物は異なる皮膚試料に適用されることから、各ベースラインは異なる。図７に図示されるように、陰性対照は、特に５日目に、顕著なＴＥＷＬを示した。それに対して、試料５（湿潤適用と乾燥適用の両方）は、治療後３日目および５日目の両方に、有意に少ないＴＥＷＬを示した。湿潤と乾燥の適用の違いは、統計的に有意ではないようであった。
【０１１６】
図８は、様々な組成物を用いた皮膚試料を治療した後に観察された水分保持レベルの変化を説明する。水分保持レベルの変化は、ベースライン（処理前の水分保持レベル）と比較した特定の試料に観察された変化を表す。各組成物は異なる皮膚の場所に適用されるため、各ベースラインは異なる。図８に図示されるように、陰性対照は、特に第５日目に、水分保持レベルの有意な減少を示した。それに対して、試料５（湿潤適用と乾燥適用の両方）は、治療後３日目および５日目の両方に、有意に少ない水分保持の喪失を示した。
実施例３
【０１１７】
上記の表９および表１０に詳述される非抗菌組成物を、ヒト皮膚からのセラチア・マルセッセンスの除去における有効性について供試した。二つの追加的な組成物を供試した：試料６（試料１および試料２と同一、２５重量％のＣ1−Ｃ8アルコールを含むのみ）および試料７（試料３および試料４と同一、２５重量％のＣ1−Ｃ8アルコールを含むのみ）。下記の表１１に示されるように、少なくとも１５重量％のアルコールを含む供試された各試料は、ヒト皮膚から少なくとも９８％のセラチア・マルセッセンスを除去した。
表１１
【表８】
2020519708.tif 000009
実施例４：接触角および皮膚上での展延
【０１１８】
非抗菌清浄化組成物の滴下についての時間分解接触角を、三つの異なる石鹸製剤を５滴、合成皮膚上に配することによって試験した。試料は以下の通りである：１）試料Ａ：本出願による抗菌清浄化組成物；２）同等の試料１：アルコールを含まない他の同等の清浄化組成物、および３）同等の試料２：商業用ブラン石鹸。５滴の各製剤を合成皮膚の表面に配し、時間分解接触角を測定して図９に図示した。
【０１１９】
図９に示されるように、試料Ａは、急速な表面張力の低下を示し、適用の２秒後にはほぼゼロであった。それに対して、同等の試料１および２の両方はそれぞれ、適用の２秒後に約２０°の接触角を示した。さらに、試料Ａは、適用時（ｔ＝０）の約８０°から１．２秒で１０°へと接触角の減少を示した。それに対して、比較試料１および２の両方は、同じ接触角の減少（約８０°から１０°へ）のために３秒が必要であった。
実施例５：汚れの除去
【０１２０】
汚れの定量的な除去を試験するために、張力計を使用した。プローブを合成皮膚で包み、以下の２種類の汚れのうちの一つで被覆した：１）医療用のウシ胎仔血清、および２）食品サービスの汚れ（クリスコ、小麦粉、油）。この試験では、クイックディップ法を使用して、被覆されたプローブを以下の二つの清浄化組成物のうちの一つに浸漬した：１）試料Ａ：本出願による抗菌清浄化組成物；または２）同等の試料１：アルコールを含まない他の同等の清浄化組成物。図８に図示されるように、試料Ａは、３４％超のウシ胎仔血清および３１％超の食品サービスの汚れを除去した。これらの結果は、本出願の抗菌清浄化組成物が、アルコールと界面活性剤との相乗的な系を含まない同等の製品よりもレベルの高い汚れを除去するものとなることを示す。
実施例６
【０１２１】
２０重量％のアルコールを含む本発明の本発明の概念の非抗菌組成物を、ＡＳＴＭ  Ｅ２３１５に従って抗菌活性について試験した。組成物の試料に試験生物の懸濁液を接種した。曝露時に、アリコートを取り出し、ＢＰＢ＋中で中和し、ＴＳＡ寒天上に広げて、生存していた試験生物を定量的にアッセイした。プレートを２４時間インキュベーションし、生存していた細菌を数えた。結果をｌｏｇ10の書式に変換し、最初の開始時の集団と比較して、ｌｏｇ減少を決定した。
【０１２２】
以下の表１２に図示されるように、供試された試料は、平均１．８４ｌｏｇのスタフィロコッカス・アウレウスの減少と１．１１ｌｏｇ未満のセラチア・マルセッセンスの減少とを示した。
表１２
【表９】
2020519708.tif 000010
【０１２３】
本発明の実施形態は本明細書に記載されているが、包括的発明概念の精神および範囲から逸脱することなく、多くの修正を行うことができることが理解されるべきである。こうしたすべての修正は、本発明の範囲内に含まれることが意図されている。
【図１】
2020519708.tif 000011
【図２】
2020519708.tif 000012
【図３】
2020519708.tif 000013
【図４】
2020519708.tif 000014
【図５】
2020519708.tif 000015
【図６】
2020519708.tif 000016
【図７】
2020519708.tif 000017
【図８】
2020519708.tif 000018
【図９】
2020519708.tif 000019
【図１０】
2020519708.tif 000020
【国際調査報告】
2020519708.tif 000021
2020519708.tif 000022
2020519708.tif 000023